(57)【特許請求の範囲】
【請求項１】
映像を構成する第１画像を用いて、前記第１画像の直後の画像である第２画像を信号処理する映像信号処理装置であって、
前記第１画像及び前記第２画像を構成する各画素は、少なくとも第１の色成分の信号レベルと、第２の色成分の信号レベルと、を有し、
各画素の前記第１の色成分、前記第２の色成分毎に前記第１画像が前記第２画像に対して及ぼすクロストーク成分を算出し、前記第２画像の対応する画素の各信号レベルから前記クロストーク成分を減算することによって、補正後第１の色成分、補正後第２の色成分それぞれの信号レベルで表現される補正後第２画像を生成するクロストークキャンセル部と、
前記補正後第１の色成分及び前記補正後第２の色成分のうち、信号レベルが負の値となる前記補正後第１の色成分の信号レベルを０以上の値に再設定すると共に、この再設定に従って、前記補正後第２の色成分の信号レベルを変更する彩度補正処理部とを備え、
該映像信号処理装置は、互いに視差を有する左眼用画像及び右眼用画像を交互に出力する３次元映像信号処理装置であって、
前記第１画像は、前記左眼用画像及び前記右眼用画像の一方であり、
前記第２画像は、前記左眼用画像及び前記右眼用画像の他方であり、
前記第１画像及び前記第２画像を構成する各画素は、赤色成分の信号レベル、緑色成分の信号レベル、及び青色成分の信号レベルによって表現され、
前記クロストークキャンセル部は、各画素の前記赤色成分、前記緑色成分、及び前記青色成分毎に前記第１画像が前記第２画像に対して及ぼすクロストーク成分を算出し、前記第２画像の対応する画素の各信号レベルから前記クロストーク成分を減算することによって、補正後赤色成分、補正後緑色成分、及び補正後青色成分それぞれの信号レベルで表現される補正後第２画像を生成し、
前記彩度補正処理部は、前記補正後赤色成分、前記補正後緑色成分、及び前記補正後青色成分のうち、信号レベルが負の値で、且つ絶対値が最も大きい最大値成分を抽出し、前記最大値成分の信号レベルを０にすると共に、他の２つの成分それぞれの信号レベルに前記最大値成分の信号レベルの絶対値を用いて算出される加算値を加算する、
映像信号処理装置。
【請求項２】
前記彩度補正処理部は、前記第２画像の１フレーム前の画像の所定の領域の特徴に応じて、前記加算値の上限を制御する
請求項１に記載の映像信号処理装置。
【請求項３】
該映像信号処理装置は、さらに、前記１フレーム前の画像を構成する各画素の平均輝度レベルを算出する平均輝度算出部を備え、
前記彩度補正処理部は、前記平均輝度算出部によって算出された平均輝度レベルが大きい程、前記加算値の上限を小さくする
請求項２に記載の映像信号処理装置。
【請求項４】
該映像信号処理装置は、さらに、前記クロストークキャンセル部で処理された前記１フレーム前の画像を構成する補正後第２画像の各画素の信号レベルのうち、負の信号レベルを選択的に積算する残留クロストーク積算部を備え、
前記彩度補正処理部は、前記残留クロストーク積算部による積算値が大きい程、前記加算値の上限を小さくする
請求項２に記載の映像信号処理装置。
【請求項５】
該映像信号処理装置は、さらに、前記クロストークキャンセル部で処理された前記１フレーム前の画像を構成する補正後第２画像の各画素のうち、信号レベルが所定の値以下の画素の数を積算する残留クロストーク積算部を備え、
前記彩度補正処理部は、前記残留クロストーク積算部による積算値が大きい程、前記加算値の上限を小さくする
請求項２に記載の映像信号処理装置。
【請求項６】
前記彩度補正処理部は、さらに、前記最大値成分の信号レベルの絶対値が大きい程、小さな値となる係数を決定し、前記最大値成分の信号レベルの絶対値に前記係数を乗じて前記加算値を算出する
請求項１〜５のいずれか１項に記載の映像信号処理装置。
【請求項７】
前記第１画像及び前記第２画像を構成する各画素は、赤色成分の信号レベル、緑色成分の信号レベル、及び青色成分の信号レベルによって表現され、
前記彩度補正処理部は、前記補正後青色成分が前記最大値成分である場合に、前記補正後赤色成分又は前記補正後緑色成分が前記最大値成分である場合より、前記加算値を小さくする
請求項６に記載の映像信号処理装置。
【請求項８】
該映像信号処理装置は、さらに、前記第２画像の１フレーム前の画像の所定の領域の特徴に応じて、前記第２画像を補正する入力信号補正部を備える
請求項１に記載の映像信号処理装置。
【請求項９】
映像を構成する第１画像を用いて、前記第１画像の直後の画像である第２画像を信号処理して表示する映像表示装置であって、
前記第１画像及び前記第２画像を構成する各画素は、少なくとも第１の色成分の信号レベルと、第２の色成分の信号レベルと、を有し、
各画素の前記第１の色成分、前記第２の色成分毎に前記第１画像が前記第２画像に対して及ぼすクロストーク成分を算出し、前記第２画像の対応する画素の各信号レベルから前記クロストーク成分を減算することによって、補正後第１の色成分、補正後第２の色成分それぞれの信号レベルで表現される補正後第２画像を生成するクロストークキャンセル部と、
前記補正後第１の色成分及び前記補正後第２の色成分のうち、信号レベルが負の値となる前記補正後第１の色成分の信号レベルを０以上の値に再設定すると共に、この再設定に従って、前記補正後第２の色成分の信号レベルを変更する彩度補正処理部と、
前記彩度補正処理部で生成された前記出力第２画像を表示する表示部とを備え、
該映像表示装置は、互いに視差を有する左眼用画像及び右眼用画像を交互に表示する３次元映像表示装置であって、
前記第１画像は、前記左眼用画像及び前記右眼用画像の一方であり、
前記第２画像は、前記左眼用画像及び前記右眼用画像の他方であり、
前記第１画像及び前記第２画像を構成する各画素は、赤色成分の信号レベル、緑色成分の信号レベル、及び青色成分の信号レベルによって表現され、
前記クロストークキャンセル部は、各画素の前記赤色成分、前記緑色成分、及び前記青色成分毎に前記第１画像が前記第２画像に対して及ぼすクロストーク成分を算出し、前記第２画像の対応する画素の各信号レベルから前記クロストーク成分を減算することによって、補正後赤色成分、補正後緑色成分、及び補正後青色成分それぞれの信号レベルで表現される補正後第２画像を生成し、
前記彩度補正処理部は、前記補正後赤色成分、前記補正後緑色成分、及び前記補正後青色成分のうち、信号レベルが負の値で、且つ絶対値が最も大きい最大値成分を抽出し、前記最大値成分の信号レベルを０にすると共に、他の２つの成分それぞれの信号レベルに前記最大値成分の信号レベルの絶対値を用いて算出される加算値を加算する、
映像表示装置。
【請求項１０】
前記彩度補正処理部は、前記第２画像の１フレーム前の画像の所定の領域の特徴に応じて、前記加算値の上限を制御する
請求項９に記載の映像表示装置。
【請求項１１】
該映像表示装置は、さらに、前記１フレーム前の画像を構成する各画素の平均輝度レベルを算出する平均輝度算出部を備え、
前記彩度補正処理部は、前記平均輝度算出部によって算出された平均輝度レベルが大きい程、前記加算値の上限を小さくする
請求項１０に記載の映像表示装置。
【請求項１２】
該映像表示装置は、さらに、前記クロストークキャンセル部で処理された前記１フレーム前の画像を構成する補正後第２画像の各画素の信号レベルのうち、負の信号レベルを選択的に積算する残留クロストーク積算部を備え、
前記彩度補正処理部は、前記残留クロストーク積算部による積算値が大きい程、前記加算値の上限を小さくする
請求項１０に記載の映像表示装置。
【請求項１３】
前記彩度補正処理部は、さらに、前記最大値成分の信号レベルの絶対値が大きい程、小さな値となる係数を決定し、前記最大値成分の信号レベルの絶対値に前記係数を乗じて前記加算値を算出する
請求項９〜１２のいずれか１項に記載の映像表示装置。
【請求項１４】
前記第１画像及び前記第２画像を構成する各画素は、赤色成分の信号レベル、緑色成分の信号レベル、及び青色成分の信号レベルによって表現され、
前記彩度補正処理部は、前記補正後青色成分が前記最大値成分である場合に、前記補正後赤色成分又は前記補正後緑色成分が前記最大値成分である場合より、前記加算値を小さくする
請求項１３に記載の映像表示装置。
【請求項１５】
該映像表示装置は、さらに、前記第２画像の１フレーム前の画像の所定の領域の特徴に応じて、前記第２画像を補正する入力信号補正部を備える
請求項９に記載の映像表示装置。
【請求項１６】
映像を構成する第１画像を用いて、前記第１画像の直後の画像である第２画像を信号処理する映像信号処理方法であって、
前記第１画像及び前記第２画像を構成する各画素は、少なくとも第１の色成分の信号レベルと、第２の色成分の信号レベルと、を有し、
各画素の前記第１の色成分、前記第２の色成分毎に前記第１画像が前記第２画像に対して及ぼすクロストーク成分を算出し、前記第２画像の対応する画素の各信号レベルから前記クロストーク成分を減算することによって、補正後第１の色成分、補正後第２の色成分それぞれの信号レベルで表現される補正後第２画像を生成するクロストークキャンセルステップと、
前記補正後第１の色成分及び前記補正後第２の色成分のうち、信号レベルが負の値となる前記補正後第１の色成分の信号レベルを０以上の値に再設定すると共に、この再設定に従って、前記補正後第２の色成分の信号レベルを変更する彩度補正処理ステップとを含み、
前記映像信号処理方法では、互いに視差を有し、交互に表示される左眼用画像及び右眼用画像を信号処理し、
前記第１画像は、前記左眼用画像及び前記右眼用画像の一方であり、
前記第２画像は、前記左眼用画像及び前記右眼用画像の他方であり、
前記第１画像及び前記第２画像を構成する各画素は、赤色成分の信号レベル、緑色成分の信号レベル、及び青色成分の信号レベルによって表現され、
前記クロストークキャンセルステップでは、各画素の前記赤色成分、前記緑色成分、及び前記青色成分毎に前記第１画像が前記第２画像に対して及ぼすクロストーク成分を算出し、前記第２画像の対応する画素の各信号レベルから前記クロストーク成分を減算することによって、補正後赤色成分、補正後緑色成分、及び補正後青色成分それぞれの信号レベルで表現される補正後第２画像を生成し、
前記彩度補正処理ステップでは、前記補正後赤色成分、前記補正後緑色成分、及び前記補正後青色成分のうち、信号レベルが負の値で、且つ絶対値が最も大きい最大値成分を抽出し、前記最大値成分の信号レベルを０にすると共に、他の２つの成分それぞれの信号レベルに前記最大値成分の信号レベルの絶対値を用いて算出される加算値を加算する、
映像信号処理方法。
【請求項１７】
映像を構成する第１画像を用いて、前記第１画像の直後の画像である第２画像を信号処理する集積回路であって、
前記第１画像及び前記第２画像を構成する各画素は、少なくとも第１の色成分の信号レベルと、第２の色成分の信号レベルと、を有し、
各画素の前記第１の色成分、前記第２の色成分毎に前記第１画像が前記第２画像に対して及ぼすクロストーク成分を算出し、前記第２画像の対応する画素の各信号レベルから前記クロストーク成分を減算することによって、補正後第１の色成分、補正後第２の色成分それぞれの信号レベルで表現される補正後第２画像を生成するクロストークキャンセル部と、
前記補正後第１の色成分及び前記補正後第２の色成分のうち、信号レベルが負の値となる前記補正後第１の色成分の信号レベルを０以上の値に再設定すると共に、この再設定に従って、前記補正後第２の色成分の信号レベルを変更する彩度補正処理部とを備え、
該集積回路は、互いに視差を有し、交互に表示される左眼用画像及び右眼用画像を信号処理し、
前記第１画像は、前記左眼用画像及び前記右眼用画像の一方であり、
前記第２画像は、前記左眼用画像及び前記右眼用画像の他方であり、
前記第１画像及び前記第２画像を構成する各画素は、赤色成分の信号レベル、緑色成分の信号レベル、及び青色成分の信号レベルによって表現され、
前記クロストークキャンセル部は、各画素の前記赤色成分、前記緑色成分、及び前記青色成分毎に前記第１画像が前記第２画像に対して及ぼすクロストーク成分を算出し、前記第２画像の対応する画素の各信号レベルから前記クロストーク成分を減算することによって、補正後赤色成分、補正後緑色成分、及び補正後青色成分それぞれの信号レベルで表現される補正後第２画像を生成し、
前記彩度補正処理部は、前記補正後赤色成分、前記補正後緑色成分、及び前記補正後青色成分のうち、信号レベルが負の値で、且つ絶対値が最も大きい最大値成分を抽出し、前記最大値成分の信号レベルを０にすると共に、他の２つの成分それぞれの信号レベルに前記最大値成分の信号レベルの絶対値を用いて算出される加算値を加算する、
集積回路。
【発明の詳細な説明】
【技術分野】
【０００１】
本発明は、映像信号処理装置に関し、特に、映像を表示する際のクロストークをより好適に抑圧する映像信号処理装置に関するものである。
【背景技術】
【０００２】
従来から、ユーザが立体的に感じる立体映像を表示する立体映像表示装置が知られている（例えば、特許文献１、２参照）。この立体映像表示装置は、例えば、視差を有する左眼用映像と右眼用映像とを交互に表示することによって、立体映像を表示することができる。
【０００３】
また、特許文献１には、左右の映像間でのクロストークをキャンセルする技術が開示されている。クロストークキャンセル処理は、赤、緑、青の各色成分毎に、これから表示しようとする映像信号の信号レベルから、直前の映像信号の残光量に相当する信号レベルを減算する処理である。
【先行技術文献】
【特許文献】
【０００４】
【特許文献１】特開２００１−２５８０５２号公報
【特許文献２】特開２０００−１３４６４４号公報
【発明の概要】
【発明が解決しようとする課題】
【０００５】
直前の映像信号の残光量が大きくなると、上記のクロストークキャンセル処理後の信号レベルが負の値となる場合がある。このような場合、従来の方法では、当該信号レベルを０に補正して表示することしかできなかった。しかしながら、このような補正を行うと、表示しようとする映像信号の色相が変化してしまうという課題があった。
【０００６】
本発明は、上記の課題に鑑みてなされたものであり、より好適なクロストーク抑圧処理を実現した映像信号処理装置、及び当該映像信号処理装置を搭載した映像表示装置を提供することを目的とする。
【課題を解決するための手段】
【０００７】
本発明の一形態に係る映像信号処理装置は、映像を構成する第１画像を用いて、前記第１画像の直後の画像である第２画像を信号処理する。前記第１画像及び前記第２画像を構成する各画素は、少なくとも第１の色成分の信号レベルと、第２の色成分の信号レベルとを有する。そして、当該映像信号処理装置は、各画素の前記第１の色成分、前記第２の色成分毎に前記第１画像が前記第２画像に対して及ぼすクロストーク成分を算出し、前記第２画像の対応する画素の各信号レベルから前記クロストーク成分を減算することによって、補正後第１の色成分、補正後第２の色成分それぞれの信号レベルで表現される補正後第２画像を生成するクロストークキャンセル部と、前記補正後第１の色成分及び前記補正後第２の色成分のうち、信号レベルが負の値となる前記補正後第１の色成分の信号レベルを０以上の値に再設定すると共に、この再設定に従って、前記補正後第２の色成分の信号レベルを変更する彩度補正処理部とを備える。
【０００８】
一形態として、前記第１画像及び前記第２画像を構成する各画素は、赤色成分の信号レベル、緑色成分の信号レベル、及び青色成分の信号レベルによって表現されてもよい。クロストークキャンセル部は、各画素の前記赤色成分、前記緑色成分、及び前記青色成分毎に前記第１画像が前記第２画像に対して及ぼすクロストーク成分を算出し、前記第２画像の対応する画素の各信号レベルから前記クロストーク成分を減算することによって、補正後赤色成分、補正後緑色成分、及び補正後青色成分それぞれの信号レベルで表現される補正後第２画像を生成してもよい。彩度補正処理部は、前記補正後赤色成分、前記補正後緑色成分、及び前記補正後青色成分のうち、信号レベルが負の値で、且つ絶対値が最も大きい最大値成分を抽出し、前記最大値成分の信号レベルを０にすると共に、他の２つの成分それぞれの信号レベルに前記最大値成分の信号レベルの絶対値を用いて算出される加算値を加算してもよい。
【０００９】
上記構成は、実質的には、第２画像のブライトネスを増加させることによって、残留クロストークによる画質劣化を補正する処理である。これにより、クロストークキャンセル部でキャンセルしきれない残留クロストークによる色相の変化を低減しながら、良好なクロストークキャンセル処理を実現することができる。
【００１０】
なお、上記では、各画素を、赤色成分、緑色成分、及び青色成分で表現する例を示したが、本発明はこれに限定されない。例えば、上記の３成分のいずれかに代えて、またはこれらに加えて、黄色成分等の他の色成分を含めてもよい。
【００１１】
また、前記彩度補正処理部は、前記第２画像の１フレーム前の画像の所定の領域の特徴に応じて、前記加算値の上限を制御するようにしてもよい。残留クロストーク量の大きい画像に対して上記の処理を実行すると、ブライトネスの変化量が目立ちすぎる場合がある。そこで、加算値を適応的に変化させることにより、色相の変化とブライトネスとの変化とをバランス良く調整することができる。なお、ここでの「所定の領域」とは、複数の画素の集合を意味し、画像の一部であるか全部であるかは問わない。
【００１２】
さらに、該映像信号処理装置は、前記１フレーム前の画像を構成する各画素の平均輝度レベルを算出する平均輝度算出部を備える。そして、前記彩度補正処理部は、前記平均輝度算出部によって算出された平均輝度レベルが大きい程、前記加算値の上限を小さくしてもよい。
【００１３】
さらに、該映像信号処理装置は、前記クロストークキャンセル部で処理された前記１フレーム前の画像を構成する補正後第２画像の各画素の信号レベルのうち、負の信号レベルを選択的に積算する残留クロストーク積算部を備える。そして、前記彩度補正処理部は、前記残留クロストーク積算部による積算値が大きい程、前記加算値の上限を小さくしてもよい。なお、「負の信号レベル」とは、残留クロストーク量を指す。
【００１４】
さらに、該映像信号処理装置は、前記クロストークキャンセル部で処理された前記１フレーム前の画像を構成する補正後第２画像の各画素のうち、信号レベルが所定の値以下の画素の数を積算する残留クロストーク積算部を備えてもよい。そして、前記彩度補正処理部は、前記残留クロストーク積算部による積算値が大きい程、前記加算値の上限を小さくしてもよい。なお、「信号レベルが所定の値以下」とは、残留クロストーク量が閾値（所定の値の絶対値）以上であることを指す。また、所定の値は負の数である。
【００１５】
さらに、前記彩度補正処理部は、前記最大値成分の信号レベルの絶対値が大きい程、小さな値となる係数を決定し、前記最大値成分の信号レベルの絶対値に前記係数を乗じて前記加算値を算出してもよい。
【００１６】
また、前記第１画像及び前記第２画像を構成する各画素は、赤色成分の信号レベル、緑色成分の信号レベル、及び青色成分の信号レベルによって表現されてもよい。そして、前記彩度補正処理部は、前記補正後青色成分が前記最大値成分である場合に、前記補正後赤色成分又は前記補正後緑色成分が前記最大値成分である場合より、前記加算値を小さくしてもよい。これは、赤色成分及び緑色成分と比較して、青色成分の残光量が小さいというＰＤＰ表示パネルの特性に基づく処理である。
【００１７】
また、該映像信号処理装置は、互いに視差を有する左眼用画像及び右眼用画像を交互に出力する３次元映像信号処理装置であってもよい。例えば、前記第１画像は、前記左眼用画像及び前記右眼用画像の一方であり、前記第２画像は、前記左眼用画像及び前記右眼用画像の他方である。但し、本発明は３次元映像信号に限らず、２次元映像信号にも適応できることは言うまでもない。
【００１８】
さらに、該映像信号処理装置は、前記第２画像の１フレーム前の画像の所定の領域の特徴に応じて、前記第２画像を補正する入力信号補正部を備えてもよい。これにより、クロストークキャンセル部での処理に先立って、クロストーク量を低減することができる。なお、ここでの「所定の領域」とは、複数の画素の集合を意味し、画像の一部であるか全部であるかは問わない。
【００１９】
本発明の一形態に係る映像表示装置は、映像を構成する第１画像を用いて、前記第１画像の直後の画像である第２画像を信号処理して表示する。前記第１画像及び前記第２画像を構成する各画素は、少なくとも第１の色成分の信号レベルと、第２の色成分の信号レベルとを有する。そして、当該映像表示装置は、各画素の前記第１の色成分、前記第２の色成分毎に前記第１画像が前記第２画像に対して及ぼすクロストーク成分を算出し、前記第２画像の対応する画素の各信号レベルから前記クロストーク成分を減算することによって、補正後第１の色成分、補正後第２の色成分それぞれの信号レベルで表現される補正後第２画像を生成するクロストークキャンセル部と、前記補正後第１の色成分及び前記補正後第２の色成分のうち、信号レベルが負の値となる前記補正後第１の色成分の信号レベルを０以上の値に再設定すると共に、この再設定に従って、前記補正後第２の色成分の信号レベルを変更する彩度補正処理部と、前記彩度補正処理部で生成された前記出力第２画像を表示する表示部とを備える。
【００２０】
また、前記彩度補正処理部は、前記第２画像の１フレーム前の画像の所定の領域の特徴に応じて、前記加算値の上限を小さくしてもよい。
【００２１】
さらに、該映像表示装置は、前記１フレーム前の画像を構成する各画素の平均輝度レベルを算出する平均輝度算出部を備える。そして、前記彩度補正処理部は、前記平均輝度算出部によって算出された平均輝度レベルが大きい程、前記加算値の上限を小さくしてもよい。
【００２２】
さらに、該映像表示装置は、前記クロストークキャンセル部で処理された前記直前の画像を構成する各画素の信号レベルのうち、負の信号レベルを選択的に積算する残留クロストーク積算部を備える。そして、前記彩度補正処理部は、前記残留クロストーク積算部による積算値が大きい程、前記加算値の上限を小さくしてもよい。
【００２３】
さらに、前記第１画像及び前記第２画像を構成する各画素は、赤色成分の信号レベル、緑色成分の信号レベル、及び青色成分の信号レベルによって表現されていてもよい。そして、前記彩度補正処理部は、前記最大値成分の信号レベルの絶対値が大きい程、小さな値となる係数を決定し、前記最大値成分の信号レベルの絶対値に前記係数を乗じて前記加算値を算出してもよい。
【００２４】
また、前記彩度補正処理部は、前記補正後青色成分が前記最大値成分である場合に、前記補正後赤色成分又は前記補正後緑色成分が前記最大値成分である場合より、前記加算値を小さくしてもよい。
【００２５】
また、該映像表示装置は、互いに視差を有する左眼用画像及び右眼用画像を交互に表示する３次元映像表示装置であってもよい。例えば、前記第１画像は、前記左眼用画像及び前記右眼用画像の一方であり、前記第２画像は、前記左眼用画像及び前記右眼用画像の他方である。
【００２６】
さらに、該映像表示装置は、前記第２画像の１フレーム前の画像の所定の領域の特徴に応じて、前記第２画像を補正する入力信号補正部を備えてもよい。
【００２７】
本発明の一形態に係る映像信号処理方法は、映像を構成する第１画像を用いて、前記第１画像の直後の画像である第２画像を信号処理する。前記第１画像及び前記第２画像を構成する各画素は、少なくとも第１の色成分の信号レベルと、第２の色成分の信号レベルとを有する。そして、当該映像信号処理方法は、各画素の前記第１の色成分、前記第２の色成分毎に前記第１画像が前記第２画像に対して及ぼすクロストーク成分を算出し、前記第２画像の対応する画素の各信号レベルから前記クロストーク成分を減算することによって、補正後第１の色成分、補正後第２の色成分それぞれの信号レベルで表現される補正後第２画像を生成するクロストークキャンセルステップと、前記補正後第１の色成分及び前記補正後第２の色成分のうち、信号レベルが負の値となる前記補正後第１の色成分の信号レベルを０以上の値に再設定すると共に、この再設定に従って、前記補正後第２の色成分の信号レベルを変更する彩度補正処理ステップとを含む。
【００２８】
本発明の一形態に係る集積回路は、映像を構成する第１画像を用いて、前記第１画像の直後の画像である第２画像を信号処理する。前記第１画像及び前記第２画像を構成する各画素は、少なくとも第１の色成分の信号レベルと、第２の色成分の信号レベルとを有する。そして、当該集積回路は、各画素の前記第１の色成分、前記第２の色成分毎に前記第１画像が前記第２画像に対して及ぼすクロストーク成分を算出し、前記第２画像の対応する画素の各信号レベルから前記クロストーク成分を減算することによって、補正後第１の色成分、補正後第２の色成分それぞれの信号レベルで表現される補正後第２画像を生成するクロストークキャンセル部と、前記補正後第１の色成分及び前記補正後第２の色成分のうち、信号レベルが負の値となる前記補正後第１の色成分の信号レベルを０以上の値に再設定すると共に、この再設定に従って、前記補正後第２の色成分の信号レベルを変更する彩度補正処理部とを備える。
【００２９】
本発明の他の形態に係る映像信号処理装置は、ユーザの左眼及び右眼の一方側に対して表示される第１系列に属する画像と、他方側に対して表示される第２系列に属する画像とを交互に取得し、当該画像を画素単位で信号処理する。前記画像を構成する各画素は、赤色成分の信号レベル、緑色成分の信号レベル、及び青色成分の信号レベルによって表現される。そして、当該映像信号処理装置は、第１系列に属する第１の画像の所定の位置の画素である特定画素と、前記第１の画像の直後の第１系列に属する第２の画像の前記特定画素に対応する位置の対応画素との各信号レベルの変動幅を検出する変動検出部と、各画素の前記赤色成分、前記緑色成分、及び前記青色成分毎に前記第１の画像のクロストーク成分を算出し、前記第１の画像及び前記第２の画像の間に位置する前記第２系列に属する第３の画像の各信号レベルから前記クロストーク成分を減算して出力するクロストークキャンセル部と、前記クロストークキャンセル部から出力される前記第３の画像の前記特定画素に対応する位置の対応画素の前記赤色成分、前記緑色成分、及び前記青色成分のうち、信号レベルが負で、且つ絶対値が最大の信号レベルの絶対値を残留クロストーク量として出力する残留クロストーク検出部と、前記変動検出部で検出された前記変動幅が第１の閾値を下回った場合に、前記残留クロストーク検出部から出力された前記残留クロストーク量に基づいて補正値を算出する補正量調整部と、前記第２の画像の対応画素の前記赤色成分、前記緑色成分、及び前記青色成分それぞれの信号レベルに対して前記補正量調整部で算出された前記補正値に応じた補正処理を実施して、前記クロストークキャンセル部に出力する入力信号補正部とを備える。
【００３０】
上記構成の映像信号処理装置は、第１の画像（第１系列）の特定画素と第２の画像（第１系列）の対応画素との信号レベルの変動幅を算出して、第３の画像（第２系列）の対応画素とその直後の画像（第２系列）の対応画素との間の信号レベルの変動幅を推測する。また、第１の画像の特定画素と第３の画像の対応画素との間の残留クロストーク量を算出することにより、第２の画像の対応画素とその直後の第２系列に属する画像の対応画素との間の残留クロストーク量を推測する。そして、第２の画像の対応画素から残留クロストークに相当する補正値を予め減算することにより、残留クロストークを好適に抑圧することができる。また、上記の補正処理では、赤、緑、青の各信号レベルの比率を保持するような補正処理を行うので、色相の変化を極小化することができる。
【００３１】
さらに、該映像信号処理装置は、前記第１の画像の直前の前記第１系列に属する画像と、前記第１の画像との間のシーン変化量を検出するシーン変化検出部を備える。そして、前記補正量調整部は、さらに、前記シーン変化検出部で検出された前記シーン変化量が第２の閾値を下回った場合に、前記補正値を算出してもよい。
【００３２】
このように、変動検出部による画素単位の変動幅のみならず、シーン変化検出部による所定の領域単位のシーン変化量をも取得して、補正処理を実行するか否かを判定している。その結果、時間的な変化の傾向をより的確に把握することができるので、より好適に残留クロストークを抑圧することができる。
【００３３】
さらに、前記補正量調整部は、前記第１の画像及び前記第３の画像のうちの少なくとも一方の画像に含まれる所定の領域の特徴に基づいて、前記補正値の上限を制御してもよい。これにより、１回の補正処理における信号レベルの減算量を制限することができるので、ブライトネスの変化が目立ちすぎるのを抑制することができる。
【００３４】
さらに、該映像信号処理装置は、前記クロストークキャンセル部から出力される前記第３の画像を構成する各画素の前記残留クロストーク量を積算する残留クロストーク積算部を備える。そして、前記補正量調整部は、前記残留クロストーク積算部による積算値が大きい程、前記補正値の上限を小さくしてもよい。
【００３５】
さらに、該映像信号処理装置は、前記第１の画像を構成する各画素の平均輝度レベルを算出する平均輝度算出部を備える。そして、前記補正量調整部は、前記平均輝度算出部によって算出された前記平均輝度レベルの値に応じて、前記補正値の上限を制御してもよい。
【００３６】
また、前記補正量調整部は、前記クロストークキャンセル部から出力される前記第３の画像の前記残留クロストーク量が大きい程、小さな値となる係数を決定し、前記残留クロストーク量の絶対値に前記係数を乗じて前記補正値を算出してもよい。この方法によって、１回の補正処理における信号レベルの減算量を制限することができる。
【００３７】
本発明の他の形態に係る映像表示装置は、ユーザの左眼及び右眼の一方側に対して表示される第１系列に属する画像と、他方側に対して表示される第２系列に属する画像とを交互に取得し、当該画像を画素単位で信号として表示する。前記画像を構成する各画素は、赤色成分の信号レベル、緑色成分の信号レベル、及び青色成分の信号レベルによって表現される。そして、当該映像表示装置は、第１系列に属する第１の画像の所定の位置の画素である特定画素と、前記第１の画像の直後の第１系列に属する第２の画像の前記特定画素に対応する位置の対応画素との各信号レベルの変動幅を検出する変動検出部と、各画素の前記赤色成分、前記緑色成分、及び前記青色成分毎に前記第１の画像のクロストーク成分を算出し、前記第１の画像及び前記第２の画像の間に位置する前記第２系列に属する第３の画像の各信号レベルから前記クロストーク成分を減算して出力するクロストークキャンセル部と、前記クロストークキャンセル部から出力される前記第３の画像の前記特定画素に対応する位置の対応画素の前記赤色成分、前記緑色成分、及び前記青色成分のうち、信号レベルが負で、且つ絶対値が最大の信号レベルの絶対値を残留クロストーク量として出力する残留クロストーク検出部と、前記変動検出部で検出された前記変動幅が第１の閾値を下回った場合に、前記残留クロストーク検出部から出力された前記残留クロストーク量に基づいて補正値を算出する補正量調整部と、前記第２の画像の対応画素の前記赤色成分、前記緑色成分、及び前記青色成分それぞれの信号レベルに対して前記補正量調整部で算出された前記補正値に応じた補正処理を実施して、前記クロストークキャンセル部に出力する入力信号補正部と、前記入力信号補正部で補正され、且つ前記クロストークキャンセル部で処理された前記第２の画像を表示する表示部とを備える。
【００３８】
さらに、該映像表示装置は、前記第１の画像の直前の前記第１系列に属する画像と、前記第１の画像との間のシーン変化量を検出するシーン変化検出部を備える。そして、前記補正量調整部は、さらに、前記シーン変化検出部で検出された前記シーン変化量が第２の閾値を下回った場合に、前記補正値を算出してもよい。
【００３９】
さらに、前記補正量調整部は、前記第１の画像及び前記第３の画像のうちの少なくとも一方の画像に含まれる所定の領域の特徴に基づいて、前記補正値の上限を制御してもよい。
【００４０】
さらに、該映像表示装置は、前記クロストークキャンセル部から出力される前記第３の画像を構成する各画素の前記残留クロストーク量を積算する残留クロストーク積算部を備える。そして、前記補正量調整部は、前記残留クロストーク積算部による積算値が大きい程、前記補正値の上限を小さくしてもよい。
【００４１】
さらに、該映像表示装置は、前記第１の画像を構成する各画素の平均輝度レベルを算出する平均輝度算出部を備える。そして、前記補正量調整部は、前記平均輝度算出部によって算出された前記平均輝度レベルの値に応じて、前記補正値の上限を制御する。
【００４２】
また、前記補正量調整部は、前記クロストークキャンセル部から出力される前記第３の画像の前記残留クロストーク量が大きい程、小さな値となる係数を決定し、前記残留クロストーク量の絶対値に前記係数を乗じて前記補正値を算出してもよい。
【００４３】
本発明の他の形態に係る映像信号処理方法は、ユーザの左眼及び右眼の一方側に対して表示される第１系列に属する画像と、他方側に対して表示される第２系列に属する画像とを交互に取得し、当該画像を画素単位で信号処理する。前記画像を構成する各画素は、赤色成分の信号レベル、緑色成分の信号レベル、及び青色成分の信号レベルによって表現される。そして、当該映像信号処理方法は、第１系列に属する第１の画像の所定の位置の画素である特定画素と、前記第１の画像の直後の第１系列に属する第２の画像の前記特定画素に対応する位置の対応画素との各信号レベルの変動幅を検出する変動検出ステップと、各画素の前記赤色成分、前記緑色成分、及び前記青色成分毎に前記第１の画像のクロストーク成分を算出し、前記第１の画像及び前記第２の画像の間に位置する前記第２系列に属する第３の画像の各信号レベルから前記クロストーク成分を減算して出力するクロストークキャンセルステップと、前記クロストークキャンセルステップから出力される前記第３の画像の前記特定画素に対応する位置の対応画素の前記赤色成分、前記緑色成分、及び前記青色成分のうち、信号レベルが負で、且つ絶対値が最大の信号レベルの絶対値を残留クロストーク量として出力する残留クロストーク検出ステップと、前記変動検出ステップで検出された前記変動幅が第１の閾値を下回った場合に、前記残留クロストーク検出ステップから出力された前記残留クロストーク量に基づいて補正値を算出する補正量調整ステップと、前記第２の画像の対応画素の前記赤色成分、前記緑色成分、及び前記青色成分それぞれの信号レベルに対して前記補正量調整ステップで算出された前記補正値に応じた補正処理を実施して、前記クロストークキャンセルステップに出力する入力信号補正ステップとを含む。
【００４４】
本発明の他の形態に係る集積回路は、ユーザの左眼及び右眼の一方側に対して表示される第１系列に属する画像と、他方側に対して表示される第２系列に属する画像とを交互に取得し、当該画像を画素単位で信号処理する。前記画像を構成する各画素は、赤色成分の信号レベル、緑色成分の信号レベル、及び青色成分の信号レベルによって表現される。そして、当該集積回路は、第１系列に属する第１の画像の所定の位置の画素である特定画素と、前記第１の画像の直後の第１系列に属する第２の画像の前記特定画素に対応する位置の対応画素との各信号レベルの変動幅を検出する変動検出部と、各画素の前記赤色成分、前記緑色成分、及び前記青色成分毎に前記第１の画像のクロストーク成分を算出し、前記第１の画像及び前記第２の画像の間に位置する前記第２系列に属する第３の画像の各信号レベルから前記クロストーク成分を減算して出力するクロストークキャンセル部と、前記クロストークキャンセル部から出力される前記第３の画像の前記特定画素に対応する位置の対応画素の前記赤色成分、前記緑色成分、及び前記青色成分のうち、信号レベルが負で、且つ絶対値が最大の信号レベルの絶対値を残留クロストーク量として出力する残留クロストーク検出部と、前記変動検出部で検出された前記変動幅が第１の閾値を下回った場合に、前記残留クロストーク検出部から出力された前記残留クロストーク量に基づいて補正値を算出する補正量調整部と、前記第２の画像の対応画素の前記赤色成分、前記緑色成分、及び前記青色成分それぞれの信号レベルに対して前記補正量調整部で算出された前記補正値に応じた補正処理を実施して、前記クロストークキャンセル部に出力する入力信号補正部とを備える。
【００４５】
本発明によれば、表示画像の変化を抑えつつ、残留クロストークの発生を低減した好適な画像とすることができる。
【発明の効果】
【００４６】
本発明によれば、クロストークキャンセル部でキャンセルしきれないで残留するクロストークがある場合でも、それによる色相の変化を低減しながら、良好なクロストークキャンセル処理を実現することができる。
【図面の簡単な説明】
【００４７】
【図１】本発明の一実施形態に係る映像表示システムを示す図である。
【図２】映像表示装置に表示される映像の例を示す図である。
【図３】映像表示装置の表示例を示したものである。
【図４】本発明の一実施形態に係る映像表示装置のハードウェア構成図である。
【図５】本発明の一実施形態に係る映像表示装置の機能ブロック図である。
【図６】フレームレート変換処理の一例を示す図である。
【図７】実施の形態１に係るＣＴ処理部の機能ブロック図である。
【図８】ＣＴキャンセル部の詳細な機能ブロック図である。
【図９】左眼用画像適応制御部の構成の一例を示す図である。
【図１０】図７に示されるＬｃｈ処理部の詳細な機能ブロック図である。
【図１１】ＣＴ処理部に入力される入力右眼用フレーム及び入力左眼用フレームの発光量（輝度レベル）を示すグラフである。
【図１２】ＣＴ処理部での処理の過程における赤、緑、青の各色成分の信号レベルを示す図である。
【図１３】ＣＴ処理部の動作を示すフローチャートである。
【図１４】実施の形態２に係るＣＴ処理部の機能ブロック図である。
【図１５】平均輝度レベルとＣＬＩＰ値との関係を示すグラフである。
【図１６】実施の形態３に係るＣＴ処理部の機能ブロック図である。
【図１７Ａ】残留クロストーク積算部の機能ブロック図の一例である。
【図１７Ｂ】残留クロストーク積算部の機能ブロック図の他の例である。
【図１７Ｃ】残留クロストーク積算部の機能ブロック図のさらに他の例である。
【図１８】残留クロストーク積算値とＣＬＩＰ値との関係を示すグラフである。
【図１９】実施の形態４に係るＣＴ処理部の機能ブロック図である。
【図２０】クロストーク量検出部の機能ブロック図である。
【図２１】Ｌｃｈ処理部の機能ブロック図である。
【図２２】クロストーク残留率とＧＬＡＹ化率との関係を示すグラフである。
【図２３】実施の形態５に係るＣＴ処理部の機能ブロック図である。
【図２４】ＣＴキャンセル部の詳細な機能ブロック図である。
【図２５】左眼用画像適応制御部の構成の一例を示す図である。
【図２６】Ｒｃｈ変動検出部の機能ブロック図である。
【図２７】Ｒｃｈ補正量調整部の機能ブロック図である。
【図２８Ａ】残留ＣＴ量と補正値との関係の一例を示すグラフである。
【図２８Ｂ】残留ＣＴ量と補正値との関係の他の例を示すグラフである。
【図２９】ＣＴ処理部に入力される入力右眼用フレーム及び入力左眼用フレームの発光量（輝度レベル）を示すグラフである。
【図３０】ＣＴ処理部での処理の過程における赤、緑、青の各色成分の信号レベルを示す図である。
【図３１】ＣＴ処理部の動作を示すフローチャートである。
【図３２】実施の形態６に係るＣＴ処理部の機能ブロック図である。
【図３３】実施の形態６に係るＲｃｈ補正量調整部の機能ブロック図である。
【図３４】実施の形態７に係るＣＴ処理部の機能ブロック図である。
【図３５】残留クロストーク積算部の機能ブロック図である。
【図３６】Ｒｃｈ補正量調整部の機能ブロック図である。
【図３７Ａ】残留ＣＴ積算値とＣＬＩＰ値との関係を示すグラフである。
【図３７Ｂ】輝度ＡＶＥとＣＬＩＰ値との関係を示すグラフである。
【図３８】クロストーク残留率とＧＬＡＹ化率との関係を示すグラフである。
【図３９】本発明の一実施形態に係る映像視聴用眼鏡のハードウェア構成図である。
【図４０】本発明の一実施形態に係る映像視聴用眼鏡の機能ブロック図である。
【発明を実施するための形態】
【００４８】
以下、図面を参照して、本発明の実施の形態を説明する。
【００４９】
図１は、本発明の一実施形態に係る映像表示装置１０と、映像表示装置１０に表示される映像を視聴する際に用いる映像視聴用眼鏡２０とを備えた映像表示システムを示す図である。図２は、映像表示装置１０に表示される映像の例を示す図である。本実施の形態では、映像表示装置１０に表示される映像を、視聴者が映像視聴用眼鏡２０を通して見ることで、立体映像を視聴できるケースを例として説明する。
【００５０】
映像表示装置１０は、図１に示されるように、表示パネル（表示部）１１と、同期信号送信部１２とを備える。表示パネル１１は、立体映像（３Ｄ映像）等の所定の処理を施された映像を表示する。同期信号送信部１２は、映像表示装置１０の表示パネル１１に出力される映像と同期する信号（同期信号）を、映像視聴用眼鏡２０に送信する。
【００５１】
映像視聴用眼鏡２０は、図１に示されるように、同期信号受信部２１と、左眼用光学フィルタ２２Ｌと、右眼用光学フィルタ２２Ｒ（これらを総称して「光学フィルタ２２」という）とを備える。同期信号受信部２１は、同期信号送信部１２からの同期信号を受信する。光学フィルタ２２は、同期信号受信部２１で受信した同期信号に基づいて、左右の眼へ入射する光に所定の光学処理を施す。
【００５２】
本実施の形態で説明する映像表示システムでは、例えば、映像表示装置１０の表示パネル１１に、図２に示されるような互いに視差を有する左眼用画像１３Ｌと右眼用画像１３Ｒとを、１２０Ｈｚ等の周期で交互に表示する。映像視聴用眼鏡２０は、映像表示装置１０の表示パネル１１に表示される映像と同期して、映像視聴用眼鏡２０の左眼に入射する光を左眼用光学フィルタ２２Ｌで、右眼に入射する光を右眼用光学フィルタ２２Ｒでそれぞれ制御する。
【００５３】
具体的には、映像表示装置１０からの同期信号に同期して、左眼用光学フィルタ２２Ｌと右眼用光学フィルタ２２Ｒとを開閉する。つまり、映像表示装置１０の表示パネル１１に左眼用画像１３Ｌが表示されている際には、左眼用光学フィルタ２２Ｌを開状態（光を通過させる状態）とし、右眼用光学フィルタ２２Ｒを閉状態（光を遮断する状態）とする。同様に、表示パネル１１に右眼用画像１３Ｒが表示されている際には、左眼用光学フィルタ２２Ｌを閉状態とし、右眼用光学フィルタ２２Ｒを開状態とする。
【００５４】
映像表示装置１０に表示される左眼用画像１３Ｌ及び右眼用画像１３Ｒは、視差の分だけ異なる内容である。視聴者は、左眼と右眼とで視聴する映像から視差を擬似的に知覚し、映像表示装置１０に表示される映像が立体的な映像であると感じる。
【００５５】
なお、上記の説明では、左眼用画像１３Ｌと右眼用画像１３Ｒとの表示周期を１２０Ｈｚの場合を例として説明したが、表示周期はこれに限定されるものではない。他の周期として、例えば９６Ｈｚ、１００Ｈｚ、１４４Ｈｚなど他の周期を用いるものであってもよい。これらの周期は、表示する映像の種類等に応じて変えてもよい。
【００５６】
図３は、ＰＤＰ（Ｐｌａｓｍａ  Ｄｉｓｐｌａｙ  Ｐａｎｅｌ）のようなサブフィールド駆動で映像を表示する場合の映像表示装置１０の表示動作例を示したものである。
【００５７】
映像表示装置１０は、左眼用画像１３Ｌ（「左眼用フレーム」とも言う）と右眼用画像１３Ｒ（「右眼用フレーム」とも言う）とを時間的に交互に表示パネル１１に表示する。この場合、各フレーム（プログレッシブ方式の場合は「ピクチャ」、インターレース方式の場合は「フィールド」ともいう）は複数のサブフィールドを組み合わせて表示パネル１１に表示される。図３の例では、左眼用フレームが複数のサブフィールド１４Ｌを組み合わせて表示されている。
【００５８】
サブフィールドを点灯させる制御（映像を表示させる制御）が開始されたとしても、実際に画素の蛍光体が印加電圧により放電現象を生じ、画素の蛍光体が発光するまでには時間的な遅延がある。この遅延は蛍光体の応答特性や、その他の原因に依存する。そのため、サブフィールド１４Ｌに示すような点灯制御がなされても、実際の発光状況は破線１５のように、サブフィールド１４Ｌの点灯制御から遅れる。消光の際についても、同様な蛍光体の特性に依存して、駆動をオフした後も、発光量に応じて指数関数的な特性の残光時間がある。図３において、サブフィールド１４Ｌの点灯制御が終了し、左眼用フレームの表示時間が終了しても、一点鎖線１６のように、左眼用フレームの残光状態が続く場合がある。
【００５９】
その結果、次の右眼用フレームの表示時間において、左眼用フレームの残光が残ることとなる。視聴者がこの映像を見ると、右眼用フレームに左眼用フレームの映像が残り、ゴースト現象のように二重像となって見えることになる。この現象がクロストークと称されるものである。
【００６０】
なお、上記の説明では、表示方法の駆動方法としてＰＤＰにおけるサブフィールド方式の場合を例として説明したが、本発明はこれに限定するものではない。液晶ディスプレイ、有機ＥＬ（Ｅｌｅｃｔｒｏ  Ｌｕｍｉｎｅｓｃｅｎｃｅ）ディスプレイ等の他の映像表示形式の場合においても、残光成分がクロストークとなって生じるケースであれば、いずれの表示方式であってもよい。
【００６１】
図４は、本実施の形態で説明する映像表示装置１０のハードウェア構成を示した図である。映像表示装置１０は、チューナ１００、外部入力端子１１０、ＣＰＵ（Ｃｅｎｔｒａｌ  Ｐｒｏｃｅｓｓｉｎｇ  Ｕｎｉｔ）１２０、ＲＡＭ（Ｒａｎｄｏｍ  Ａｃｃｅｓｓ  Ｍｅｍｏｒｙ）１３０、ＲＯＭ（Ｒｅａｄ  Ｏｎｌｙ  Ｍｅｍｏｒｙ）１４０、映像／音声復号ＩＣ（Ｉｎｔｅｇｒａｔｅｄ  Ｃｉｒｃｕｉｔ）１５０、映像信号処理ＩＣ１６０、赤外線発光素子１７０、バス１８０、及び表示パネル１１を備える。
【００６２】
チューナ１００は、アンテナ（図示せず）で受信した放送波を復調する。チューナ１００は、復調した放送データ（映像データ）を映像／音声復号ＩＣ１５０へ出力する。
【００６３】
外部入力端子１１０は、当該装置に接続された外部装置から、有線又は無線通信等により映像データの入力を受け付けるインタフェースとなる。外部入力端子１１０は、外部装置から取得した映像データを映像／音声復号ＩＣ１５０へ出力する。なお、外部装置の具体例は特に限定されないが、例えば、ＤＶＤ（Ｄｉｇｉｔａｌ  Ｖｅｒｓａｔｉｌｅ  Ｄｉｓｃ）プレーヤやＢＤ（Ｂｌｕ−ｒａｙ  Ｄｉｓｃ）プレーヤ等の光ディスク再生装置の他、ＨＤＤ（Ｈａｒｄ  Ｄｉｓｋ  Ｄｒｉｖｅ）、磁気テープ、半導体メモリ等のあらゆる記憶媒体から映像データを読み出して出力する装置が該当する。
【００６４】
本実施の形態では、上記のチューナ１００、及び外部入力端子１１０から映像データを取得する例を説明しているが、これに限定されるものではない。上記以外の方法で映像データが供給されるものであってもよい。
【００６５】
ＣＰＵ１２０は、映像表示装置１０の全体を制御する。ＣＰＵ１２０は、その制御用のプログラムをＲＯＭ１４０から読み出し、プログラムを実行する際に必要な各種の変数等をＲＡＭ１３０に一時的に記録等して、プログラムを実行する。ＣＰＵ１２０は、他の主要な機能ブロックとバス１８０で接続されており、これを介して他の機能ブロックを制御する。
【００６６】
ＲＡＭ１３０は、揮発性の情報記録部である。代表的なものにＤＲＡＭ（Ｄｙｎａｍｉｃ  Ｒａｎｄｏｍ  Ａｃｃｅｓｓ  Ｍｅｍｏｒｙ）等の半導体メモリがある。ＲＡＭ１３０は、ＣＰＵ１２０がプログラムを実行する際の各種の変数等の記録場所として、また、映像／音声復号ＩＣ１５０が映像データを復号する際の一時的なデータ格納場所等として使用される。
【００６７】
ＲＯＭ１４０は、不揮発性の情報記録部である。代表的なものにマスクＲＯＭやフラッシュメモリ等の半導体メモリがある。ＲＯＭ１４０は、ＣＰＵ１２０が実行するプログラムを記録したり、映像表示装置１０の動作に関わる各種の設定値を記録したりする場所等として使用可能である。なお、フラッシュメモリのように、不揮発性でありながら書き換え可能な半導体メモリを用いた場合は、上記のＲＡＭ１３０をフラッシュメモリで置き換えることも可能である。
【００６８】
映像／音声復号ＩＣ１５０は、上記に説明したチューナ１００や外部入力端子１１０から入力される映像データ及び音声データ等を復号する。具体的には、映像／音声復号ＩＣ１５０は、所定の方式で記録等されているこれらのデータを、以降の各機能ブロックが取り扱える形式に復号（変換）する。なお、所定の方式とは、例えば、ＭＰＥＧ（Ｍｏｖｉｎｇ  Ｐｉｃｔｕｒｅ  Ｅｘｐｅｒｔｓ  Ｇｒｏｕｐ）−２、ＭＰＥＧ−４、Ｈ．２６４、ＪＰＥＧ（Ｊｏｉｎｔ  Ｐｈｏｔｏｇｒａｐｈｉｃｓ  Ｅｘｐｅｒｔｓ  Ｇｒｏｕｐ）等が代表的なものとしてある。
【００６９】
映像信号処理ＩＣ１６０は、映像／音声復号ＩＣ１５０で復号された映像データを校正する各画像に所定の信号処理を施すものである。ここでの信号処理とは、例えば、表示パネル１１に表示した際に発色を美しくさせるための色変換処理、映像の動き（フレーム毎の変化）をより細かく表示するために、復号された映像データのフレームをより高速なフレームレートに変換するフレームレート変換処理、立体映像を視聴する際に用いる同期信号を生成する同期信号生成処理、及び表示パネル１１の表示特性等に応じて表示する映像信号を修正する画質変換処理等がある。なお、映像信号処理ＩＣ１６０の処理の詳細については、後述する。
【００７０】
表示パネル１１は、映像信号処理ＩＣ１６０で処理された映像信号を表示する。表示パネル１１の具体的な表示方式は特に限定されないが、例えば、ＰＤＰ、ＬＣＤ（Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）等を採用することができる。
【００７１】
赤外線発光素子１７０は、映像信号処理ＩＣ１６０で生成される同期信号を映像視聴用眼鏡２０へ出力する。本実施の形態では、同期信号の出力形式として、赤外線通信の例を示したが、これに限定するものではない。これ以外にも、無線通信、超音波通信等他の方式を用いて同期信号を映像視聴用眼鏡２０へ送信するものであってもよい。
【００７２】
バス１８０は、上記で説明した各構成要素等を接続する役割を持つ。これにより、ＣＰＵ１２０は、各機能ブロックを統合的に制御して、映像表示装置１０を好適に制御することが可能となる。
【００７３】
図４に示される映像信号処理ＩＣ１６０で実行される映像信号処理について、図５に示される機能ブロック図を用いて説明する。映像／音声復号ＩＣ１５０は、左眼用フレーム及び右眼用フレームをそれぞれ復号する。映像／音声復号ＩＣ１５０によって復号された左眼用フレーム及び右眼用フレームは、映像信号処理ＩＣ１６０へ出力される。
【００７４】
映像信号処理ＩＣ１６０は、フレームレート変換部１６１、ＣＴ（Ｃｒｏｓｓ  Ｔａｌｋ：クロストーク）処理部１６２、同期信号送信部１６３、及び画質変換部１６４を備える。
【００７５】
フレームレート変換部１６１は、映像／音声復号ＩＣ１５０で復号された左眼用フレーム及び右眼用フレームのフレームレートを倍増するフレームレート変換処理を実行する。図６は、フレームレート変換処理の一例を示す。
【００７６】
フレームレート変換処理は、入力される右眼用フレームの信号（図６（Ａ））と左眼用フレームの信号（図６（Ｂ））のフレームレートを倍増し、論理的に元のフレームレートの時間内に左右の両フレームが収まるように信号処理を行う。より具体的には、フレームを構成するデータを処理するための処理時間を２倍に高速化することで、この信号処理が可能となる。この処理時間を２倍に高速化するためには、映像信号処理ＩＣ１６０の当該部分の動作クロックを２倍の速度で処理するか、又は、映像信号処理ＩＣ１６０内部の処理を並列化する等の対策をする必要がある。
【００７７】
これにより、元のフレームレートの時間内に左右両方の映像が納まる映像信号を形成することが可能となる。なお、フレームレート変換部１６１から出力される映像信号は、図６（Ｃ）に示すように、一つの信号に左眼用フレームと右眼用フレームとが交互に収められている形式であってもよいし、フレームレート（クロック信号）が倍増され、入力と同じように左右の両映像が独立して出力される形式であってもよい。
【００７８】
ＣＴ処理部１６２は、左眼用フレームと右眼用フレームとを表示パネル１１に交互に表示することによって発生する残光（クロストーク）を抑圧させるための信号処理を施す。ＣＴ処理部１６２の詳細については、後述する。
【００７９】
同期信号送信部１６３は、同期信号を生成する同期信号生成処理を実行する。具体的には、フレームレート変換部１６１で生成されたフレームレートに基づいて、左右の映像フレームと同期した同期信号を、赤外線発光素子１７０を通じて映像視聴用眼鏡２０へ送信する。映像視聴用眼鏡２０は、この同期信号に基づいて左眼用光学フィルタ２２Ｌ及び右眼用光学フィルタ２２Ｒを制御し、視聴者へ３Ｄ映像等を視聴させる。
【００８０】
同期信号の伝送には、赤外線等の光学通信、無線リモコン（ＺｉｇＢｅｅなど）やＢｌｕｅｔｏｏｔｈ等の無線通信、及びケーブルを用いた有線通信等のあらゆる伝送方式を用いることができる。つまり、映像表示装置１０と映像視聴用眼鏡２０との間で同期情報を伝送できるものであれば、いずれの方法でもよい。なお本実施の形態では、上述のとおり赤外線による伝送を用いる場合を例として説明する。
【００８１】
画質変換部１６４は、表示パネル１１の表示特性等に応じて表示する映像信号を修正等する画質変換処理を実行する。例えば、映像表示装置１０がＡＰＬ（Ａｖｅｒａｇｅ  Ｐｉｃｔｕｒｅ  Ｌｅｖｅｌ）に基づいて表示映像の輝度を変更する場合、また入力信号の色域を表示デバイス色域にあわせるための色域変換を行う場合、入力された映像を表示パネル１１の表示特性に応じて色情報の微調整を行う場合等、各種の映像信号処理を行う。
【００８２】
上記のように映像信号処理ＩＣ１６０の内部では、復号された映像信号に各種の処理を施し、変更された映像信号を表示パネル１１へ出力する。これにより、より好ましい映像を表示することを可能とする。
【００８３】
図６に示されるＣＴ処理部１６２の構成及び動作の詳細を、以下に説明する。
【００８４】
（実施の形態１）
図７は、実施の形態１に係るＣＴ処理部（映像信号処理装置）２００の機能ブロック図である。実施の形態１に係るＣＴ処理部２００は、図７に示されるように、ＣＴキャンセル部２１０と、彩度補正処理部２２０とを備える。このＣＴ処理部２００は、隣接する２つの画像の間に生じるクロストークを抑圧する処理を実行する。
【００８５】
ＣＴキャンセル部２１０には、時間的に隣接する入力左眼用フレームと入力右眼用フレームとが交互に入力される。なお、入力左眼用フレームを構成する各画素は、それぞれ入力赤色成分（Ｌｃｈ入力Ｒ）の信号レベル、入力緑色成分（Ｌｃｈ入力Ｇ）の信号レベル、及び入力青色成分（Ｌｃｈ入力Ｂ）の信号レベルによって表現される。同様に、入力右眼用フレームを構成する各画素は、それぞれ入力赤色成分（Ｒｃｈ入力Ｒ）の信号レベル、入力緑色成分（Ｒｃｈ入力Ｇ）の信号レベル、及び入力青色成分（Ｒｃｈ入力Ｂ）の信号レベルによって表現される。
【００８６】
なお、以降の説明においては、各画素を、赤色成分、緑色成分、及び青色成分で表現する例を示すが、本発明はこれに限定されない。例えば、上記の３成分のいずれかに代えて、またはこれらに加えて、黄色成分等の他の色成分を含めてもよい。
【００８７】
ＣＴキャンセル部２１０は、処理対象の画像とその直前の画像からクロストーク成分を算出し、このクロストーク成分を用いて処理対象の画像を補正する処理を実行する。ここでクロストーク成分とは、処理対象の画像が表示されるタイミングにおける直前の画像の残留する信号レベルを指す。
【００８８】
具体的には、ＣＴキャンセル部２１０は、入力左眼用フレームと当該入力左眼用フレームの直前の入力右眼用フレームとを取得して、入力右眼用フレームの各画素のＲｃｈ入力Ｒ、Ｒｃｈ入力Ｇ、及びＲｃｈ入力Ｂ毎にクロストーク成分を算出する。そして、入力左眼用フレームの対応する画素の各信号レベルからクロストーク成分を減算することによって、補正後赤色成分（Ｌｃｈ補正Ｒ）、補正後緑色成分（Ｌｃｈ補正Ｇ）、及び補正後青色成分（Ｌｃｈ補正Ｂ）で表現される補正後左眼用フレームを生成する。同様に、入力右眼用フレームと直前の入力左眼用フレームとから、補正後赤色成分（Ｒｃｈ補正Ｒ）、補正後緑色成分（Ｒｃｈ補正Ｇ）、及び補正後青色成分（Ｒｃｈ補正Ｂ）で表現される補正後右眼用フレームを生成する。
【００８９】
彩度補正処理部２２０は、ＣＴキャンセル部２１０で補正された左右の画像それぞれの彩度を補正する処理を実行する。なお、補正後左眼用フレームに対する処理はＬｃｈ処理部２２０Ｌで、補正後右眼用フレームに対する処理はＲｃｈ処理部２２０Ｒでそれぞれ実行される。
【００９０】
具体的には、Ｌｃｈ処理部２２０Ｌは、Ｌｃｈ補正Ｒ、Ｌｃｈ補正Ｇ、及びＬｃｈ補正Ｂのうち、信号レベルが負の値で、且つ絶対値が最も大きい最大値成分を抽出する。そして、最大値成分の信号レベルを０にすると共に、他の２つの成分それぞれの信号レベルに最大値成分の信号レベルの絶対値を用いて算出される加算値を加算する。上記処理によって、Ｌｃｈ処理部２２０Ｌから出力赤色成分（Ｌｃｈ出力Ｒ）、出力緑色成分（Ｌｃｈ出力Ｇ）、及び出力青色成分（Ｌｃｈ出力Ｂ）で表現される出力左眼用フレームが生成され、出力される。
【００９１】
同様に、Ｒｃｈ処理部２２０Ｒは、Ｒｃｈ補正Ｒ、Ｒｃｈ補正Ｇ、及びＲｃｈ補正Ｂのうち、信号レベルが負の値で、且つ絶対値が最も大きい最大値成分を抽出する。そして、最大値成分の信号レベルを０にすると共に、他の２つの成分それぞれの信号レベルに最大値成分の信号レベルの絶対値を用いて算出される加算値を加算する。上記処理によって、Ｒｃｈ処理部２２０Ｒから出力赤色成分（Ｒｃｈ出力Ｒ）、出力緑色成分（Ｒｃｈ出力Ｇ）、及び出力青色成分（Ｒｃｈ出力Ｂ）で表現される出力右眼用フレームが生成され、出力される。
【００９２】
図８は、ＣＴキャンセル部２１０の詳細な機能ブロック図である。ＣＴキャンセル部２１０は、図８に示されるように、左眼用画像適応制御部２１１、右眼用画像適応制御部２１４、変換部２１２、２１５、及び合成部２１３、２１６を備える。
【００９３】
左眼用画像適応制御部２１１は、入力左眼用フレーム及びその直前の入力右眼用フレームから、当該入力右眼用フレームに乗じる係数Ｋ１を算出する。右眼用画像適応制御部２１４は、左眼用画像適応制御部２１１とは反対に、入力右眼用フレーム及びその直前の入力左眼用フレームから、当該入力左眼用フレームに乗じる係数Ｋ２を算出する。なお、係数Ｋ１、Ｋ２の決定方法については後述する。
【００９４】
変換部２１２は、左眼用画像適応制御部２１１で決定された係数Ｋ１に基づいて、入力右眼用フレームに所定の変換処理を行う。例えば、係数Ｋ１が、入力右眼用フレームの残光率（直後の入力左眼用フレームが表示される際の残光の割合）である場合、ここでの所定の変換処理とは、入力右眼用フレームに係数Ｋ１を乗じるものとなる。
【００９５】
合成部２１３は、入力左眼用フレームと、変換部２１２で変換された入力右眼用フレームとを合成する。合成の一例として、例えば、入力左眼用フレームの信号レベルから、変換部２１２で変換された入力右眼用フレームの信号レベルを減算すればよい。合成部２１３は、合成した信号を補正後左眼用フレームとして出力する。この補正後左眼用フレームは、直前の出力右眼用フレームが発生させる残光量を相殺したものとなっている。
【００９６】
なお、上記の各処理は、画像を構成する各画素の赤、緑、青の各色成分毎に実行される。つまり、左眼用画像適応制御部２１１では、赤色成分の係数Ｋ１Ｒ、緑色成分の係数Ｋ１Ｇ、及び青色成分の係数Ｋ１Ｂが算出される。変換部２１２では、入力右眼用フレームを構成する各画素のＲｃｈ入力Ｒに係数Ｋ１Ｒを、Ｒｃｈ入力Ｇに係数Ｋ１Ｇを、Ｒｃｈ入力Ｂに係数Ｋ１Ｂをそれぞれ乗算する。そして、合成部２１３では、入力左眼用フレームを構成する各画素のＬｃｈ入力Ｒ、Ｌｃｈ入力Ｇ、及びＬｃｈ入力Ｂの信号レベルから、変換部２１２から出力された入力右眼用フレームの対応する画素のＲｃｈ入力Ｒ、Ｒｃｈ入力Ｇ、及びＲｃｈ入力Ｂの信号レベルを減算することによって、補正後左眼用フレームが生成される。
【００９７】
なお、入力右眼用フレームに対するクロストークキャンセルの処理は、右眼用画像適応制御部２１４、変換部２１５、及び合成部２１６により、入力左眼用フレームの場合と同様に（対称に）行われる。
【００９８】
図９は、左眼用画像適応制御部２１１の構成の一例を示す図である。左眼用画像適応制御部２１１は、図９に示されるように、信号比較部２１７と、バッファ２１８と、ＣＴ（Ｃｒｏｓｓ  Ｔａｌｋ）係数決定部２１９とを備える。
【００９９】
信号比較部２１７は、入力左眼用フレームと直前の入力右眼用フレームとの信号レベル比を算出する。信号レベル比には、例えば、クロストークの影響を受ける被ＣＴ映像信号（入力左眼用フレーム）からクロストークの影響を及ぼすＣＴ映像信号（直前の入力右眼用フレーム）を差し引いた差分映像信号を利用することができる。算出された信号レベル比は、ＣＴ係数決定部２１９へ出力される。バッファ２１８は、直前に表示される入力右眼用フレームを一時保持する遅延器として機能する。
【０１００】
ＣＴ係数決定部２１９は、信号比較部２１７で算出された信号レベル比に基づいて入力右眼用フレームに乗ずる係数Ｋ１を算出する。係数Ｋ１の決定方法は特に限定されないが、例えば、信号レベル比が大きくなる程、係数Ｋ１の値が小さくなるようにしてもよい。
【０１０１】
図１０は、図７に示される彩度補正処理部２２０のＬｃｈ処理部２２０Ｌの詳細な機能ブロック図である。Ｌｃｈ処理部２２０Ｌは、図１０に示されるように、彩度補正制御部２２１Ｌと、３つの合成部２２２Ｌ、２２３Ｌ、２２４Ｌとを備える。なお、Ｒｃｈ処理部２２０Ｒの構成はＬｃｈ処理部２２０Ｌと共通するので、説明は省略する。
【０１０２】
彩度補正制御部２２１Ｌは、入力されるＬｃｈ補正Ｒ、Ｌｃｈ補正Ｇ、及びＬｃｈ補正Ｂのうち、信号レベルが負の値で、且つ絶対値が最も大きい最大値成分を抽出する。例えば、Ｌｃｈ補正Ｒが最大値成分であった場合、合成部２２２Ｌは、Ｌｃｈ補正Ｒの信号レベルを０にしてＬｃｈ出力Ｒとして出力する。合成部２２３Ｌは、Ｌｃｈ補正Ｇの信号レベルにＬｃｈ補正Ｒの信号レベルの絶対値を用いて算出される加算値を加算してＬｃｈ出力Ｇとして出力する。同様に、合成部２２４Ｌは、Ｌｃｈ補正Ｂの信号レベルに加算値を加算してＬｃｈ出力Ｂとして出力する。
【０１０３】
次に、図１１〜図１３を参照して、上記構成のＣＴ処理部２００の動作を説明する。なお、図１１は、ＣＴ処理部２００に入力される入力右眼用フレーム及び入力左眼用フレームの発光量（輝度レベル）を示すグラフである。図１２は、ＣＴ処理部２００での処理の過程における赤、緑、青の各色成分の信号レベルを示す図である。図１３は、ＣＴ処理部２００の動作を示すフローチャートである。
【０１０４】
まず、ＣＴ処理部２００には、図１１に示されるように、入力右眼用フレームと入力左眼用フレームとが交互に入力される。以降の説明では、入力右眼用フレームＮｏ．１をＣＴ映像信号とし、入力左眼用フレームＮｏ．１を被ＣＴ映像信号とした場合の処理を説明する。
【０１０５】
例えば、図１２に示されるように、入力右眼用フレームＮｏ．１を構成する一の画素のＲｃｈ入力Ｒの信号レベルが４０、Ｒｃｈ入力Ｇの信号レベルが６０、Ｒｃｈ入力Ｂの信号レベルが２０であったとする。一方、入力左眼用フレームＮｏ．１の対応する画素のＬｃｈ入力Ｒの信号レベルが１０、Ｌｃｈ入力Ｇの信号レベルが１０、Ｌｃｈ入力Ｂの信号レベルが２０であったとする。
【０１０６】
上記の場合において、ＣＴ処理部２００のＣＴキャンセル部２１０は、入力左眼用フレームＮｏ．１から入力右眼用フレームＮｏ．１のクロストーク成分を減算して、補正後左眼用フレームを算出する（Ｓ１１）。例えば、ＣＴ係数決定部２１９で決定される係数Ｋ１が０．５（赤、緑、青の各色成分で同値）であったとすると、赤色成分のクロストーク成分は２０、緑色成分のクロストーク成分は３０、青色成分のクロストーク成分は１０となる。これを入力左眼用フレームＮｏ．１の各色成分の信号レベルから減算すると、図１２に示されるように、Ｌｃｈ補正Ｒの信号レベルが−１０、Ｌｃｈ補正Ｇの信号レベルが−２０、Ｌｃｈ補正Ｂの信号レベルが１０となる。
【０１０７】
補正後左眼用フレームにおいて、信号レベルが正の値となる場合（Ｌｃｈ補正Ｂ）とは、表示パネル１１に表示される左眼用フレームの輝度レベル（発光量）が直前の右眼用フレームのクロストーク成分を上回っている状態である。このような場合、実際の輝度レベル（青色成分＝２０）とクロストーク成分（１０）との差分に相当する輝度レベル（１０）のみを、表示パネル１１に表示（発光）すればよい。
【０１０８】
一方、補正後左眼用フレームにおいて、信号レベルが負の値となる場合（Ｌｃｈ補正Ｒ、Ｌｃｈ補正Ｇ）とは、表示パネル１１に表示される左眼用フレームの輝度レベルが直前の右眼用フレームのクロストーク成分を下回っている状態である。このような場合、表示パネル１１を発光させなくとも、本来表示すべき輝度レベル（赤色成分＝１０、緑色成分＝１０）を上回る輝度レベル（赤色成分＝２０、緑色成分＝３０）が表示パネル１１に表示されることになる。ここで、本来表示すべき輝度レベルと実際に表示される信号レベルとの差分値（赤色成分＝１０、緑色成分＝２０）を「残留クロストーク量」という。
【０１０９】
この残留クロストーク量が大きくなると、表示パネル１１に実際に表示される左眼用フレームの色相と、左眼用フレームの本来の色相との差が大きくなってしまう。そこで、彩度補正制御部２２１Ｌは、以下に説明するように、この残留クロストークに伴う色相の誤差を抑圧するように処理を実行する。
【０１１０】
次に、ＣＴ処理部２００の彩度補正制御部２２１Ｌは、ＣＴキャンセル部２１０から出力されたＬｃｈ補正Ｒ、Ｌｃｈ補正Ｇ、及びＬｃｈ補正Ｂのうち、信号レベルがマイナスの成分が存在するか否かを確認する（Ｓ１２）。信号レベルがマイナスの成分が存在しなければ（Ｓ１２でＮｏ）、Ｌｃｈ処理部２２０Ｌは、Ｌｃｈ補正Ｒ、Ｌｃｈ補正Ｇ、及びＬｃｈ補正Ｂの信号レベルをそのままＬｃｈ出力Ｒ、Ｌｃｈ出力Ｇ、及びＬｃｈ出力Ｂの信号レベルとして出力する。
【０１１１】
一方、信号レベルがマイナスの成分が存在する場合（Ｓ１２でＹｅｓ）、彩度補正制御部２２１Ｌは、絶対値が最も大きい最大値成分を抽出する（Ｓ１３）。図１２の例では、Ｌｃｈ補正Ｇが最大値成分となる。
【０１１２】
次に、彩度補正制御部２２１Ｌは、最大値成分であるＬｃｈ補正Ｇの信号レベルから加算値を算出する（Ｓ１４）。実施の形態１における加算値は、最大値成分の信号レベルの絶対値そのものである。すなわち、加算値は２０となる。
【０１１３】
次に、合成部２２２Ｌ、２２３Ｌ、２２４Ｌは、それぞれＬｃｈ補正Ｒ、Ｌｃｈ補正Ｇ、及びＬｃｈ補正Ｂの信号レベルを補正して、Ｌｃｈ出力Ｒ、Ｌｃｈ出力Ｇ、及びＬｃｈ出力Ｂを出力する（Ｓ１５）。具体的には、合成部２２３Ｌは、最大値成分であるＬｃｈ補正Ｇの出力レベルを０に設定してＬｃｈ出力Ｇとして出力する。一方、合成部２２２Ｌは、Ｌｃｈ補正Ｒの信号レベル（−１０）に加算値（２０）を加算して、信号レベルが１０のＬｃｈ出力Ｒを出力する。また、合成部２２４Ｌは、Ｌｃｈ補正Ｂの信号レベル（１０）に加算値（２０）を加算して、信号レベルが３０のＬｃｈ出力Ｂを出力する。
【０１１４】
ここで、Ｌｃｈ出力Ｒ（１０）、Ｌｃｈ出力Ｇ（０）、及びＬｃｈ出力Ｂ（３０）は、表示パネル１１に左眼用フレームを表示させる際の発光量に相当する。ユーザが視認する輝度レベルは、これに残留クロストーク成分であるＲ（１０）、Ｇ（２０）、Ｂ（０）を加算したものとなるので、赤色成分の信号レベルが２０、緑色成分の信号レベルが２０、青色成分の信号レベルが３０となる。
【０１１５】
以上の加算処理を実施しない場合は、負の信号レベルは０にクリップされて出力されるため、Ｒ（０）、Ｇ（０）、Ｂ（１０）が出力されるが、ユーザが視認する輝度レベルは、これに残留クロストーク成分であるＲ（１０）、Ｇ（２０）、Ｂ（０）を加算したものとなるので、赤色成分の信号レベルが１０、緑色成分の信号レベルが２０、青色成分の信号レベルが１０となり、色相はＧ成分およびＲ成分（特にＧ成分）が強められた色相になってしまう。
【０１１６】
一方補正値を加算することにより、ユーザが視認する左眼用フレームは、本来の左眼用フレームと比較して、ブライトネスが若干高く（すなわち、明るく）なっているものの、色相は実質的に同一となる。これにより、色相の変化を低減した画像処理が可能となる。
【０１１７】
（実施の形態２）
次に、図１４及び図１５を参照して、本発明の実施の形態２に係るＣＴ処理部３００を説明する。図１４は、実施の形態２に係るＣＴ処理部３００の機能ブロック図である。図１５は、平均輝度レベルとＣＬＩＰ値との関係を示すグラフである。なお、実施の形態１に係るＣＴ処理部２００と共通の構成要素には、同一の参照番号を付し、詳しい説明を省略する。また、左眼用フレームに対する処理を実行する機能ブロック（参照番号の末尾がＬ）と、右眼用フレームに対する処理を実行する機能ブロック（参照番号の末尾がＲ）とは、実質的に同一（対称）の動作を行うので、以降の説明では左眼側を中心に説明する。
【０１１８】
実施の形態２に係るＣＴ処理部３００は、図１４に示されるように、ＣＴキャンセル部２１０と、Ｌｃｈ処理部３２０Ｌ及びＲｃｈ処理部３２０Ｒを含む彩度補正処理部３２０と、平均輝度算出部３３０Ｌ、３３０Ｒと、補正量制御部３４０Ｌ、３４０Ｒとを備える。なお、図１４では、Ｌｃｈ入力Ｒ、Ｌｃｈ入力Ｇ、及びＬｃｈ入力Ｂを総称してＬｃｈ入力信号と呼称する。他の信号についても同様である。
【０１１９】
平均輝度算出部３３０Ｌは、Ｌｃｈ入力信号を取得して、入力左眼用フレームの平均輝度レベルを１フレーム単位（若しくは、分割された所定の領域単位）で算出する。具体的な算出方法は特に限定されないが、例えば、入力左眼用フレームを構成する全画素の輝度レベルの相加平均を算出すればよい。
【０１２０】
補正量制御部３４０Ｌは、平均輝度算出部３３０Ｌによって算出された平均輝度レベルに基づいて、ＣＬＩＰ値を決定する。なお、ＣＬＩＰ値とは、彩度補正処理部３２０で決定される加算値の最大値を決定するための値であって絶対値の値となる。また、ＣＬＩＰ値を算出するために用いられる平均輝度レベルは、ＣＴ処理部３００で現在処理されている左眼用フレームの直前の左眼用フレームの平均輝度レベルである。
【０１２１】
ＣＬＩＰ値の具体的な算出方法は特に限定されないが、例えば、平均輝度レベルが大きい程、ＣＬＩＰ値を小さく（絶対値を小さく）する。より具体的には、図１５に示されるように、平均輝度レベル（「輝度ＡＶＥ」と表記する）が所定の閾値ａ未満の場合にはＣＬＩＰ値を一定（最大）とし、閾値ａ以上の場合には、平均輝度レベルが大きい程、ＣＬＩＰ値の絶対値を小さくすればよい。
【０１２２】
Ｌｃｈ処理部３２０Ｌは、Ｌｃｈ補正信号の赤、緑、青の各色成分の信号レベルに加算値を加算し、Ｌｃｈ出力信号を生成する。ここで、加算値の算出方法が実施の形態１と異なる。図１２を参照して、実施の形態２に係る加算値の算出方法を説明する。
【０１２３】
まず、Ｌｃｈ処理部３２０Ｌは、補正量制御部３４０ＬからＣＬＩＰ値を取得する。この例では、ＣＬＩＰ値が絶対値１５であったとする。次に、彩度補正制御部２２１Ｌは、最大値成分を抽出するのに先立って、赤、緑、青の各色成分の信号レベルをＣＬＩＰ値で補正する。具体的には、信号レベルが負の値であって、その絶対値がＣＬＩＰ値より大きい成分について、当該成分の信号レベルをＣＬＩＰ値の負の値に置き換える。この例では、Ｌｃｈ補正Ｇの信号レベル（−２０）がＣＬＩＰ値より絶対値が大きいので、Ｌｃｈ補正Ｇの信号レベルを−１５に置き換える。
【０１２４】
次に、ＣＬＩＰ値で補正された信号レベルを用いて、最大値成分（負となる信号の絶対値の最大）を抽出する。この例では、赤、緑、青の各色成分の信号レベルが−１０、−１５、１０であるので、緑色成分が最大値成分となる。次に、彩度補正制御部２２１Ｌは、ＣＬＩＰで補正された最大値成分の信号レベルの絶対値を加算値（１５）とする。
【０１２５】
そして、合成部２２２Ｌ、２２３Ｌ、２２４Ｌは、Ｌｃｈ補正Ｒ、Ｌｃｈ補正Ｇ、Ｌｃｈ補正Ｂの信号レベルを補正する。つまり、合成部２２３Ｌは、最大値成分であるＬｃｈ補正Ｇの信号レベルを０に設定する。合成部２２２Ｌ、２２４Ｌは、Ｌｃｈ補正Ｒ及びＬｃｈ補正Ｂの信号レベルに加算値を加算する。その結果、Ｌｃｈ出力Ｒの信号レベルが５に、Ｌｃｈ出力Ｇの信号レベルが０に、Ｌｃｈ出力Ｂの信号レベルが２５に設定される。これにより、ユーザが視認する輝度レベルは、これに残留クロストーク成分であるＲ（１０）、Ｇ（２０）、Ｂ（０）を加算したものとなるので、赤色成分の信号レベルが１５、緑色成分の信号レベルが２０、青色成分の信号レベルが２５となり、色相はＧ成分がやや強められた色相になるが、加算処理を行わない場合に比べて、色相のずれが改善される。なお、ＣＬＩＰ値による補正処理は、最大値成分の抽出するためだけに行われるものであり、合成部２２２Ｌ、２２３Ｌ、２２４Ｌは、ＣＬＩＰ値による補正が行われる前の信号レベルを用いて処理を実行する。
【０１２６】
実施の形態２における加算値（１５）は、実施の形態１における加算値（２０）より小さくなっている。より具体的には、加算値の上限がＣＬＩＰ値の絶対値に制限されていると言える。つまり、Ｌｃｈ処理部３２０Ｌは、１つ前のＬｃｈ入力信号の特徴（平均輝度レベル）に応じて、加算値の上限を規定している。
【０１２７】
その結果、表示パネル１１に表示される左眼用フレームは、本来の左眼用フレームと比較して色相が若干変化するものの、ブライトネスの変化量が実施の形態１より小さくなっている。
【０１２８】
実施の形態１における加算量は、残留クロストーク量が大きくなるほど大きくなる。結果として各々の加算量が大きくなり、色相は本来の色に近づくもののブライトネスが大きくなってブライトネスの変化が弊害となって見栄えに影響してしまう。そこで本実施の形態では、ＣＬＩＰ値の値を適応的に変化させることにより、色相の変化量とブライトネスの変化量とのバランスを取るようにしたものである。
【０１２９】
ここで、平均輝度レベルが大きい画像とは全体的に明るい画像なので、残光の影響による残留クロストーク量は相対的に小さい（出難い）と考えられる。一方、平均輝度レベルが小さい画像とは全体的に暗い画像なので、残光の影響による残留クロストーク量は相対的に大きいと考えられる。そこで、色相の改善という観点からは図１５に示されるように、平均輝度レベルが大きくなる程、ＣＬＩＰ値の絶対値、すなわち加算値の上限を小さくすればよい。
【０１３０】
一方、ブライトネスが高くなるという弊害の観点からは図１５とは反対に、平均輝度レベルが大きくなる程、ＣＬＩＰ値の絶対値を大きくしてもよい。平均輝度レベルが大きい（明るい）画像はブライトネスの変化が相対的に目立ち難いので、色相の変化を最小限に抑えるために、加算値の上限を大きく設定することも可能である。平均輝度レベルが小さい（暗い）画像はブライトネスの変化が目立ちやすいので、色相が多少変化してしまうとしても、ブライトネスの変化量を小さくするために、加算値の上限を小さく設定することになる。
【０１３１】
このように、ＣＬＩＰを小さい値に設定すれば色相変化の改善が少なく、ＣＬＩＰを大きな値とすればブライトネス変化量が弊害となるため、このように平均輝度等のパラメータを元に、最適なＣＬＩＰ値を調整する。この際どのような効果を重視するかにより、上記の例のように異なる設定方法が考えられる。
【０１３２】
また、補正量制御部３４０Ｌは、ＣＴ処理部３００で現在処理されている左眼用フレームの直前の左眼用フレームの平均輝度レベルを用いて、ＣＬＩＰ値を算出する。これは、時間的に隣接する２つの左眼用フレームが似ているという特性を利用している。つまり、実施の形態２に係るＣＴ処理部３００は、動きの少ない映像の処理により好適である。
【０１３３】
（実施の形態３）
次に、図１６〜図１８を参照して、本発明の実施の形態３に係るＣＴ処理部４００を説明する。図１６は、実施の形態３に係るＣＴ処理部４００の機能ブロック図である。図１７Ａ〜図１７Ｃは、残留クロストーク積算部４６０の機能ブロック図である。図１８は、残留クロストーク積算値とＣＬＩＰ値との関係を示すグラフである。なお、実施の形態１、２に係るＣＴ処理部２００、３００と共通の構成要素には、同一の参照番号を付し、詳しい説明を省略する。また、左眼用フレームに対する処理を実行する機能ブロック（参照番号の末尾がＬ）と、右眼用フレームに対する処理を実行する機能ブロック（参照番号の末尾がＲ）とは、実質的に同一（対称）の動作を行うので、以降の説明では左眼側を中心に説明する。
【０１３４】
実施の形態３に係るＣＴ処理部４００は、図１６に示されるように、ＣＴキャンセル部２１０と、Ｌｃｈ処理部３２０Ｌ及びＲｃｈ処理部３２０Ｒを含む彩度補正処理部３２０と、補正量制御部４４０Ｌ、４４０Ｒと、Ｌｃｈ入力信号補正部４５０Ｌ及びＲｃｈ入力信号補正部４５０Ｒを含む入力信号補正部４５０と、残留クロストーク積算部４６０Ｌ、４６０Ｒ（総称して「残留クロストーク積算部４６０」と表記する）とを備える。なお、図１６では、Ｌｃｈ入力Ｒ、Ｌｃｈ入力Ｇ、及びＬｃｈ入力Ｂを総称してＬｃｈ入力信号と呼称する。他の信号についても同様である。
【０１３５】
残留クロストーク積算部４６０Ｌは、Ｌｃｈ補正信号を取得して、左眼用フレームの残留クロストーク積算値を１フレーム単位（若しくは、分割された所定の領域単位）で算出する。図１７Ａ〜図１７Ｃを参照して、残留クロストーク積算部４６０、４６０Ａ、４６０Ｂの詳細な構成を説明する。
【０１３６】
残留クロストーク積算部４６０は、図１７Ａに示されるように、信号補正部４６１Ｌ、４６１Ｒと、絶対値化部４６２Ｌ、４６２Ｒと、ＬＰＦ（Ｌｏｗ  Ｐａｔｈ  Ｆｉｌｔｅｒ）部４６３Ｌ、４６３Ｒと、フレーム積算部４６４Ｌ、４６４Ｒとを備える。この残留クロストーク積算部４６０は、その内部で左眼用フレームに対する処理と右眼用フレームに対する処理とを独立して実行することが可能な構成となっている。そのため、ここでは片側（左眼用フレーム）の場合のみを説明する。
【０１３７】
信号補正部４６１Ｌは、ＣＴキャンセル部２１０から出力されるＬｃｈ補正信号の信号レベルを検出し、必要に応じてその信号レベルを補正する。具体的には、信号補正部４６１Ｌは、入力されるＬｃｈ補正信号の信号レベルが０以上、すなわち、信号レベルが正の値である場合は、当該信号の信号レベルを０に補正して出力する。一方、信号レベルが０未満、すなわち、信号レベルが負の値である場合は、当該信号をそのままの値で出力する。これにより、ＣＴキャンセル部２１０で処理されたＬｃｈ補正信号のうちの負の値（すなわち、残留クロストーク）を持つ信号のみが、信号補正部４６１Ｌで抽出される。
【０１３８】
絶対値化部４６２Ｌは、信号補正部４６１Ｌで補正された信号の絶対値を算出する。ＬＰＦ部４６３Ｌは、絶対値化部４６２Ｌで算出された値についてその変化率を緩和させる。このＬＰＦ部４６３Ｌは、絶対値化部４６２Ｌから順次出力される信号をフレーム積算部４６４Ｌで所定の割合で間引いてフレーム積算処理を行っているために、ＬＰＦ処理を行っているものである。フレーム積算部４６４Ｌは、ＬＰＦ部４６３Ｌから出力される信号を１フレーム単位（若しくは、分割された所定の領域単位）で積算する。
【０１３９】
つまり、残留クロストーク積算部４６０Ｌからの出力信号は、Ｌｃｈ補正信号に含まれる残留クロストーク量（想定値）の１フレーム分の積算値に相当する。なお、上記の処理は、赤、緑、青の各色成分毎に実行してもよいし、色成分を区別することなく全ての値を積算してもよい。
【０１４０】
図１７Ｂは、図１７Ａの変形例である残留クロストーク積算部４６０Ａの機能ブロック図である。図１７Ｂに示される残留クロストーク積算部４６０Ａは、絶対値化部４６２Ｌ、４６２ＲとＬＰＦ部４６３Ｌ、４６３Ｒとの間にフィルタ部４６５Ｌ、４６５Ｒを備える点で、図１７Ａに示される残留クロストーク積算部４６０と相違する。以下、図１７Ａとの相違点のみを説明する。また、片側（左眼用フレーム）の場合のみを説明する。
【０１４１】
フィルタ部４６５Ｌは、絶対値化部４６２Ｌで算出された値（信号レベル）と、予め定められた最大値及び最小値とを比較する。そして、信号レベルが最大値を超える場合には最大値を出力し、信号レベルが最小値を下回る場合は０を出力する。一方、信号レベルが最大値と最小値との間に収まっている場合は信号レベルそのものを出力する。
【０１４２】
このように、所定の値（最小値）を下回る信号レベルを０にＣＬＩＰすることは、微小な残留クロストークを有する画素を無視することに相当する。その結果、残留クロストーク量が微小な画素が広範囲に広がっているような画像を、検出しない（補正処理の対象としない）ようにすることができる。一方、所定の値（最大値）を上回る信号レベルを最大値にＣＬＩＰすることは、残留クロストーク量が極めて大きい画素の影響を小さくすることに相当する。
【０１４３】
図１７Ｃは、図１７Ａの変形例である残留クロストーク積算部４６０Ｂの機能ブロック図である。図１７Ｃに示される残留クロストーク積算部４６０Ｂは、ＬＰＦ部４６３Ｌ、４６３Ｒに代えて画素検出部４６６Ｌ、４６６Ｒを備える点で、図１７Ａに示される残留クロストーク積算部４６０と相違する。以下、図１７Ａとの相違点のみを説明する。また、片側（左眼用フレーム）の場合のみを説明する。
【０１４４】
画素検出部４６６Ｌは、絶対値化部４６２Ｌで算出された値（信号レベル）と、予め定められた閾値（ミニマム値）とを比較し、信号レベルが閾値以上の場合は１を、信号レベルが閾値未満の場合は０を出力する。そして、この出力信号をフレーム積算部４６４Ｌにフレーム単位で積算させることにより、残留クロストーク積算部４６０Ｂは、残留クロストーク量が閾値以上（言い換えれば、残留クロストーク積算部４６０Ｂに入力される信号レベルが所定の値以下）の画素の数（面積）を出力することになる。
【０１４５】
補正量制御部４４０Ｌは、残留クロストーク積算部４６０によって算出された残留クロストーク積算値に基づいて、ＣＬＩＰ値を決定する。そして、補正量制御部４４０Ｌは、決定したＣＬＩＰ値をＬｃｈ処理部３２０Ｌに出力する。なお、実施の形態２と同様に、ＣＬＩＰ値を算出するために用いられる残留クロストーク積算値は、ＣＴ処理部４００で現在処理されている左眼用フレームの直前の左眼用フレームの残留クロストーク積算値である。
【０１４６】
Ｌｃｈ処理部３２０Ｌは、実施の形態２と同様に、補正量制御部４４０Ｌから取得したＣＬＩＰ値に基づいて加算値を算出する。すなわち、Ｌｃｈ処理部３２０Ｌは、Ｌｃｈ補正信号の特徴（残留クロストーク積算値）に応じて、加算値の上限を規定している。
【０１４７】
ＣＬＩＰ値の具体的な算出方法は特に限定されないが、例えば、図１８に示されるように、残留クロストーク積算値が大きい程、ＣＬＩＰ値の絶対値を小さくすればよい。残留クロストーク積算値が大きくなる場合とは、当該フレームが直前の右眼用フレームとの関係において、残留クロストークが発生する条件の面積がある程度大きな場合や、全体的に暗い場合等である。例えば、図１１に示される各フレームのうち、入力左眼用フレームＮｏ．１のような条件の画素が多い場合残留クロストーク積算値は大きくなり、入力左眼用フレームＮｏ．３のような条件の画素が多い場合残留クロストーク積算値は小さくなる傾向がある。
【０１４８】
そこで、残留クロストーク積算値が大きい（暗い）画像はブライトネスの変化が目立ちやすいので、色相が多少変化してしまうとしても、ブライトネスの変化量を小さくするために、加算値の上限を小さく設定するのが望ましい。一方、残留クロストーク積算値が小さい（明るい）画像はブライトネスの変化が目立ち難いので、色相の変化を最小限に抑えるために、加算値の上限を大きく設定するのが望ましい。
【０１４９】
Ｌｃｈ入力信号補正部４５０Ｌは、Ｌｃｈ入力信号を補正してＣＴキャンセル部２１０に出力する。典型的には、Ｌｃｈ入力信号のブライトネス（黒レベル）を増加させたり、階調特性の暗部側γを補正したりする処理を実行する。すなわち、赤、緑、青の各色成分の信号レベルそれぞれに同じ値を加算もしくは同様に暗部側の階調特性を補正する。これにより、Ｌｃｈ入力信号の残留クロストーク量を減少させることができる。
【０１５０】
なお、Ｌｃｈ入力信号補正部４５０Ｌで加算される値は、補正量制御部４４０Ｌで算出される。例えば、ブライトネスを補正する例では直前の左眼用フレームの残留クロストーク積算値が大きい程、大きな値を加算するようにすればよい。つまり、残留クロストーク積算値が大きい画像には、大きめの値を加算して、予めブライトネスを増加させておく。ＣＴキャンセル部２１０でキャンセル処理を行う前に、予めこのようにブライトネスや暗部の階調特性を補正しておくことにより、キャンセルされず残留する量を低減することができる。
【０１５１】
一方、残留クロストーク積算値が小さい画像には、小さな値を加算することでブライトネスの変化を抑えながら残留クロストークの発生を効果的に抑制することができる。ここでは、ブライトネスを補正する例を示したが、映像の暗部側のγ特性を制御することでも、同様の効果を得ることができる。
【０１５２】
（実施の形態４）
次に、図１９〜図２２を参照して、本発明の実施の形態４に係るＣＴ処理部５００を説明する。図１９は、実施の形態４に係るＣＴ処理部５００の機能ブロック図である。図２０は、クロストーク量検出部５７０の機能ブロック図である。図２１は、Ｌｃｈ処理部５２０Ｌの詳細な機能ブロック図である。図２２は、クロストーク残留率とＧＬＡＹ化率との関係を示すグラフである。なお、実施の形態１〜３に係るＣＴ処理部２００、３００、４００と共通の構成要素には、同一の参照番号を付し、詳しい説明を省略する。また、左眼用フレームに対する処理を実行する機能ブロック（参照番号の末尾がＬ）と、右眼用フレームに対する処理を実行する機能ブロック（参照番号の末尾がＲ）とは、実質的に同一（対称）の動作を行うので、以降の説明では左眼側を中心に説明する。
【０１５３】
実施の形態４に係るＣＴ処理部５００は、図１９に示されるように、ＣＴキャンセル部２１０と、Ｌｃｈ処理部５２０Ｌ及びＲｃｈ処理部５２０Ｒを含む彩度補正処理部５２０と、補正量制御部５４０Ｌ、５４０Ｒと、Ｌｃｈ入力信号補正部４５０Ｌ及びＲｃｈ入力信号補正部４５０Ｒを含む入力信号補正部４５０と、残留クロストーク積算部４６０Ｌ、４６０Ｒと、クロストーク量検出部５７０Ｌ、５７０Ｒ（合わせて「クロストーク量検出部５７０」と表記する）とを備える。なお、図１９では、Ｌｃｈ入力Ｒ、Ｌｃｈ入力Ｇ、及びＬｃｈ入力Ｂを総称してＬｃｈ入力信号と呼称する。他の信号についても同様である。
【０１５４】
クロストーク量検出部５７０Ｌは、Ｌｃｈ入力信号を取得して、左眼用フレームのクロストーク量を１フレーム毎に算出する。図２０を参照して、クロストーク量検出部５７０の詳細な構成を説明する。
【０１５５】
クロストーク量検出部５７０は、図２０に示されるように、信号レベル比算出部５７１Ｌ、５７１Ｒと、信号補正部５７２Ｌ、５７２Ｒと、絶対値化部５７３Ｌ、５７３Ｒと、ＬＰＦ部５７４Ｌ、５７４Ｒと、フレーム積算部５７５Ｌ、５７５Ｒとを備える。このクロストーク量検出部５７０は、その内部で左眼用フレームに対する処理と右眼用フレームに対する処理とを独立して実行することが可能な構成となっている。
【０１５６】
なお、図２０に示されるクロストーク量検出部５７０は、図１７Ａに示される残留クロストーク積算部４６０と比較して、入力信号がＬｃｈ入力信号及びＲｃｈ入力信号であること、及び信号補正部５７２Ｌ、５７２Ｒの前に、信号レベル比算出部５７１Ｌ、５７１Ｒが設けられている点が異なる。
【０１５７】
信号レベル比算出部５７１Ｌは、Ｌｃｈ入力信号とＲｃｈ入力信号との信号レベル比を算出する。具体的には、信号レベル比算出部５７１Ｌは、Ｌｃｈ入力信号の信号レベルから直前のＲｃｈ入力信号の信号レベルを減算する。同様に、信号レベル比算出部５７１Ｒは、Ｒｃｈ入力信号の信号レベルから直前のＬｃｈ入力信号の信号レベルを減算する。
【０１５８】
つまり、クロストーク量検出部５７０Ｌで算出されるのは、直前の右眼用フレームの影響で、左眼用フレームに生じ得るクロストーク量と相関する値である。なお、実施の形態３においては、入力信号補正部４５０で補正された後のＬｃｈ入力信号及びＲｃｈ入力信号を取得して残留クロストーク量を算出する例を示したが、これに限ることなく、入力信号補正部４５０で補正される前のＬｃｈ入力信号及びＲｃｈ入力信号を取得してもよい。
【０１５９】
補正量制御部５４０Ｌは、残留クロストーク積算部４６０Ｌで算出される残留クロストーク積算値、及びクロストーク量検出部５７０Ｌで算出されるクロストーク量の一方、又は両方に基づいて、ＣＬＩＰ値とＬｃｈ入力信号補正部４５０Ｌで加算される値を算出する。残留クロストーク積算値を用いた算出方法は、実施の形態３で示した通りであるので、再度の説明は省略する。
【０１６０】
補正量制御部５４０Ｌは、例えば、クロストーク量が大きくなる程、ＣＬＩＰ値を小さくすればよい。これにより、色相の変化及びブライトネスの変化の一方が目立ちすぎるのを防止することができる。一方で、クロストーク量が大きくなる程、Ｌｃｈ入力信号補正部４５０Ｌで加算される値を大きくするようにしてもよい。これにより、ＣＴキャンセル部２１０においてある程度クロストークをキャンセルすることができ、キャンセルされず残留する量を低減することができる。
【０１６１】
Ｌｃｈ処理部５２０Ｌは、実施の形態２、３と同様に、補正量制御部５４０Ｌから取得したＣＬＩＰ値に基づいて加算値を算出する。すなわち、Ｌｃｈ処理部５２０Ｌは、Ｌｃｈ入力信号の特徴（クロストーク量の発生量と相関を持った値）と、Ｌｃｈ補正信号の特徴（残留クロストーク積算値）とに応じて、加算値の値を算出している。
【０１６２】
次に、図２１及び図２２を参照して、Ｌｃｈ処理部５２０Ｌの詳細を説明する。Ｌｃｈ処理部５２０Ｌは、図２１に示されるように、負ＣＬＩＰ部５２１Ｒ、５２１Ｇ、５２１Ｂと、適応的ＣＬＩＰ部５２２Ｒ、５２２Ｇ、５２２Ｂと、判断回路５２３Ｒ、５２３Ｇ、５２３Ｂと、合成部５２４Ｒ、５２４Ｇ、５２４Ｂと、最大値成分選択部５２５と、最大値補正部５２６とを備える。
【０１６３】
負ＣＬＩＰ部５２１Ｒ、５２１Ｇ、５２１Ｂは、それぞれＬｃｈ補正Ｒ、Ｌｃｈ補正Ｇ、及びＬｃｈ補正Ｂを取得して、正の値を持つ信号はそのまま出力し、負の値を持つ信号は０にして出力する。例えば、図１２に示される補正後左眼用フレームが入力されたとすると、負ＣＬＩＰ部５２１Ｒ、５２１Ｇから０が、負ＣＬＩＰ部５２１Ｂから１０が出力される。
【０１６４】
適応的ＣＬＩＰ部５２２Ｒ、５２２Ｇ、５２２Ｂは、各々の入力信号の負のみを取り出し絶対値化した後、補正量制御部５４０Ｌから絶対値で示されるＣＬＩＰ値を取得して、Ｌｃｈ補正信号の各信号レベルを補正する。例えば、ＣＬＩＰ値が絶対値１５であった場合には、適応的ＣＬＩＰ部５２２Ｒから１０が、適応的ＣＬＩＰ部５２２Ｇから１５が、適応的ＣＬＩＰ部５２２Ｂから０が出力される。
【０１６５】
最大値成分選択部５２５は、適応的ＣＬＩＰ部５２２Ｒ、５２２Ｇ、５２２Ｒから出力される負信号を絶対値化しクリップを付加した信号レベルに基づいて、最大値成分を選択する。上記の例では、緑色成分が最大値成分となる。そして、最大値成分選択部５２５は、最大値成分の信号レベルの絶対値、すなわち１５を出力する。
【０１６６】
最大値補正部５２６は、最大値成分選択部５２５から出力された値を補正して加算値を算出する。具体的には、最大値成分の信号レベルの絶対値に所定の係数（ＧＬＡＹ化率）を乗じることによって、加算値が算出される。例えば、ＧＬＡＹ化率が０．８であった場合、加算値は１２となる。
【０１６７】
図２２を参照して、ＧＬＡＹ化率の決定方法を説明する。
【０１６８】
最大値補正部５２６は、図２２に示されるように、クロストーク残留率が大きい程、ＧＬＡＹ化率の値を小さくする。これにより、ブライトネスの変化量が目立ちすぎるのを抑制することができる。また、クロストーク残留率が所定の閾値ｂ（例えば、４５％）に達すると、ＧＬＡＹ化率を０に設定する。クロストーク残留率が閾値ｂ以上の場合とは、左眼用フレームの信号レベルが、その直前の右眼用フレームの信号レベルと比較して、極端に小さい場合であり、もはやＬｃｈ処理部５２０Ｌでの処理によって残留クロストークを抑圧する限界を超えている場合である。
【０１６９】
なお、クロストーク残留率とは、信号レベルの取り得る最大値（８ビットであれば２５５）を分母とし、残留クロストーク成分の信号レベルの絶対値を分子として算出される値である。すなわち、クロストーク残留率が大きいとは、残留クロストーク成分の信号レベルの絶対値が大きいということである。
【０１７０】
また、最大値補正部５２６では、適応的ＣＬＩＰ部５２２Ｂの出力が最大値成分である場合に、Ｌｃｈ補正Ｒ又はＬｃｈ補正Ｇが最大値成分である場合より、ＧＬＡＹ化率を小さくするような処理を実行してもよい。これは、青色成分が赤色成分や緑色成分と比較して、残光量が小さいという、表示パネル１１の特性に基づくものである。これは、青色成分は残光量が小さいにも関わらず、残留クロストークとして最大となるということは、青色成分のクロストーク量のみが極端に大きくなるようなＬとＲの入力信号の関係にある場合ということであるため、このような場合に、緑色成分や赤色成分と同様な彩度補正処理を行うと、ブライトネス増加による弊害がより顕著になるという理由からである。
【０１７１】
判断回路５２３Ｒ、５２３Ｇ、５２３Ｂは、適応的ＣＬＩＰ部５２２Ｒ、５２２Ｇ、５２２Ｂから出力される信号と、最大値補正部５２６から出力される加算値とに基づいて、負ＣＬＩＰ部５２１Ｒ、５２１Ｇ、５２１Ｂから出力される信号に、合成部５２４Ｒ、５２４Ｇ、５２４Ｂで加算すべき値を判断し算出する。
【０１７２】
まず、当該色成分が最大値成分である場合には、固定的に０を出力する。つまり、図１２の例の場合では、最大値成分はＧであるので判断回路５２３Ｇからは０が出力される。そして、合成部５２４Ｇは、負ＣＬＩＰ部５２１Ｇから出力される信号レベル（０）と、判断回路５２３Ｇから出力される加算値（０）とを加算して、信号レベルが０のＬｃｈ出力Ｇを出力する。
【０１７３】
次に、当該色成分の信号レベルが負の値である場合には、加算値として最大値成分（クリップされた場合はその値）との差分を出力する。つまり、判断回路５２３Ｒからは、クリップされＧＲＡＹ化率補正された最大値成分Ｇの信号レベル（１２）と、適応的ＣＬＩＰ部５２２Ｒから出力される信号レベル（１０）との差分（２）が出力される。そして、合成部５２４Ｒは、負ＣＬＩＰ部５２１Ｒから出力される信号レベル（０）と、判断回路５２３Ｒから出力される加算値（２）とを加算して、信号レベルが２のＬｃｈ出力Ｒを出力する。
【０１７４】
次に、当該色成分の信号レベルが正の値である場合には、最大値補正部５２６から取得した加算値をそのまま出力する。つまり、判断回路５２３Ｂからは、１２が出力される。そして、合成部５２４Ｂは、負ＣＬＩＰ部５２１Ｂから出力される信号レベル（１０）と判断回路５２３Ｂから出力される加算値（１２）とを加算して、信号レベルが２２のＬｃｈ出力Ｂを出力する。
【０１７５】
（実施の形態５）
図２３は、実施の形態５に係るＣＴ処理部（映像信号処理装置）２０００の機能ブロック図である。実施の形態５に係るＣＴ処理部２０００は、図２３に示されるように、Ｌｃｈ入力信号補正部２１００Ｌと、Ｒｃｈ入力信号補正部２１００Ｒと、ＣＴキャンセル部２２００と、Ｌｃｈ変動検出部２３００Ｌと、Ｒｃｈ変動検出部２３００Ｒと、Ｌｃｈ残留クロストーク検出部２４００Ｌと、Ｒｃｈ残留クロストーク検出部２４００Ｒと、Ｌｃｈ補正量調整部２５００Ｌと、Ｒｃｈ補正量調整部２５００Ｒとを備える。このＣＴ処理部２０００は、隣接する２つの画像の間に生じるクロストークを抑圧する処理を実行する。
【０１７６】
ＣＴキャンセル部２２００には、時間的に隣接する入力左眼用フレーム（Ｌｃｈ入力信号）と入力右眼用フレーム（Ｒｃｈ入力信号）とが交互に入力される。なお、Ｌｃｈ入力信号を構成する各画素は、入力赤色成分（Ｌｃｈ入力Ｒ）の信号レベル、入力緑色成分（Ｌｃｈ入力Ｇ）の信号レベル、及び入力青色成分（Ｌｃｈ入力Ｂ）の信号レベルによって表現される。同様に、Ｒｃｈ入力信号を構成する各画素は、それぞれ入力赤色成分（Ｒｃｈ入力Ｒ）の信号レベル、入力緑色成分（Ｒｃｈ入力Ｇ）の信号レベル、及び入力青色成分（Ｒｃｈ入力Ｂ）の信号レベルによって表現される。
【０１７７】
Ｒｃｈ入力信号補正部２１００Ｒは、Ｒｃｈ入力信号を補正してＣＴキャンセル部２２００に出力する。具体的には、Ｒｃｈ入力Ｒ、Ｒｃｈ入力Ｇ、及びＲｃｈ入力Ｂの信号レベルから補正値に応じて色相を保持しつつ、各信号レベルを小さくするような補正処理を行う。例えば、補正値に応じて信号コントラストを下げるような処理である。この補正値は、Ｒｃｈ補正量調整部２５００Ｒから取得する。なお、Ｌｃｈ入力信号補正部２１００Ｌの動作も同様であるので、説明は省略する。
【０１７８】
ＣＴキャンセル部２２００は、処理対象の画像の直前の画像からクロストーク成分を算出し、このクロストーク成分を用いて処理対象の画像を補正する処理を実行する。なお、ＣＴキャンセル部２２００で処理される信号は、Ｌｃｈ入力信号補正部２１００Ｌで補正されたＬｃｈ入力信号、及びＲｃｈ入力信号補正部２１００Ｒで補正された後のＲｃｈ入力信号である。
【０１７９】
具体的には、ＣＴキャンセル部２２００は、Ｌｃｈ入力信号と当該Ｌｃｈ入力信号の直前のＲｃｈ入力信号とを取得して、Ｒｃｈ入力信号の各画素のＲｃｈ入力Ｒ、Ｒｃｈ入力Ｇ、及びＲｃｈ入力Ｂ毎にＲｃｈ入力信号のクロストーク成分を算出する。そして、Ｌｃｈ入力信号の各画素の信号レベルから対応するクロストーク成分を減算することによって、出力赤色成分（Ｌｃｈ出力Ｒ）、出力緑色成分（Ｌｃｈ出力Ｇ）、及び出力青色成分（Ｌｃｈ出力Ｂ）の各信号レベルで表現される出力左眼用フレーム（Ｌｃｈ出力信号）を生成する。同様に、Ｒｃｈ入力信号と直前のＬｃｈ入力信号とから、出力赤色成分（Ｒｃｈ出力Ｒ）、出力緑色成分（Ｒｃｈ出力Ｇ）、及び出力青色成分（Ｒｃｈ出力Ｂ）の各信号レベルで表現される出力右眼用フレーム（Ｒｃｈ出力信号）を生成する。
【０１８０】
図２４は、ＣＴキャンセル部２２００の詳細な機能ブロック図である。ＣＴキャンセル部２２００は、図２４に示されるように、左眼用画像適応制御部２２１０、右眼用画像適応制御部２２４０、変換部２２２０、２２５０、及び合成部２２３０、２２６０を備える。
【０１８１】
左眼用画像適応制御部２２１０は、Ｌｃｈ入力信号及びその直前のＲｃｈ入力信号から、当該Ｒｃｈ入力信号に乗じる係数Ｋ１を算出する。なお、係数Ｋ１の決定方法については後述する。
【０１８２】
変換部２２２０は、左眼用画像適応制御部２２１０で決定された係数Ｋ１に基づいて、Ｒｃｈ入力信号に所定の変換処理を行う。例えば、係数Ｋ１が、Ｒｃｈ入力信号の残光率（直後のＬｃｈ入力信号が表示される際の残光の割合）である場合、ここでの所定の変換処理とは、Ｒｃｈ入力信号に係数Ｋ１を乗じるものとなる。
【０１８３】
合成部２２３０は、Ｌｃｈ入力信号と、変換部２２２０で変換されたＲｃｈ入力信号とを合成する。合成の一例として、例えば、Ｌｃｈ入力信号の信号レベルから、変換部２２２０で変換されたＲｃｈ入力信号の信号レベルを減算すればよい。合成部２２３０は、合成した信号をＬｃｈ出力信号として出力する。このＬｃｈ出力信号は、直前のＲｃｈ出力信号が発生させる残光量を相殺したものとなっている。
【０１８４】
上記の各処理は、画像を構成する各画素の赤、緑、青の各色成分毎に実行される。つまり、左眼用画像適応制御部２２１０では、赤色成分の係数Ｋ１Ｒ、緑色成分の係数Ｋ１Ｇ、及び青色成分の係数Ｋ１Ｂが算出される。変換部２２２０では、Ｒｃｈ入力信号を構成する各画素のＲｃｈ入力Ｒに係数Ｋ１Ｒを、Ｒｃｈ入力Ｇに係数Ｋ１Ｇを、Ｒｃｈ入力Ｂに係数Ｋ１Ｂをそれぞれ乗算する。そして、合成部２２３０では、Ｌｃｈ入力信号を構成する各画素のＬｃｈ入力Ｒ、Ｌｃｈ入力Ｇ、及びＬｃｈ入力Ｂの信号レベルから、変換部２２２０から出力されたＲｃｈ入力信号の対応する画素のＲｃｈ入力Ｒ、Ｒｃｈ入力Ｇ、及びＲｃｈ入力Ｂの信号レベルを減算することによって、Ｌｃｈ出力信号が生成される。
【０１８５】
なお、Ｒｃｈ入力信号に対するクロストークキャンセルの処理は、右眼用画像適応制御部２２４０、変換部２２５０、及び合成部２２６０により、Ｌｃｈ入力信号の場合と同様に（対称に）行われる。
【０１８６】
図２５は、左眼用画像適応制御部２２１０の構成の一例を示す図である。左眼用画像適応制御部２２１０は、図２５に示されるように、信号比較部２２７０と、バッファ２２８０と、ＣＴ（Ｃｒｏｓｓ  Ｔａｌｋ）係数決定部２２９０とを備える。
【０１８７】
信号比較部２２７０は、Ｌｃｈ入力信号と直前のＲｃｈ入力信号との信号レベル比を算出する。信号レベル比には、例えば、クロストークの影響を受ける被ＣＴ映像信号（Ｌｃｈ入力信号）からクロストークの影響を及ぼすＣＴ映像信号（直前のＲｃｈ入力信号）を差し引いた差分映像信号を利用することができる。算出された信号レベル比は、ＣＴ係数決定部２２９０へ出力される。バッファ２２８０は、直前に表示されるＲｃｈ入力信号を一時保持する遅延器として機能する。
【０１８８】
ＣＴ係数決定部２２９０は、信号比較部２２７０で算出された信号レベル比に基づいてＲｃｈ入力信号に乗ずる係数Ｋ１を算出する。係数Ｋ１の決定方法は特に限定されないが、例えば、信号レベル比が大きくなる程、係数Ｋ１の値が小さくなるようにしてもよい。
【０１８９】
図２６は、Ｒｃｈ変動検出部２３００Ｒの機能ブロック図である。Ｒｃｈ変動検出部２３００Ｒは、図２６に示されるように、合成部２３１０と、バッファ２３２０とを備える。このＲｃｈ変動検出部２３００Ｒは、Ｒｃｈ入力信号を順次取得し、時間的に隣接する２つのＲｃｈ入力信号（第１のＲｃｈ入力信号と、第１のＲｃｈ入力信号の直後の第２のＲｃｈ入力信号）の対応する画素の各信号レベルの変動幅（Ｒｃｈ変動幅）を検出する。
【０１９０】
具体的には、合成部２３１０は、第１のＲｃｈ入力信号の各信号レベルから第２のＲｃｈ入力信号の各信号レベルを減算する。バッファ２３２０は、取得したＲｃｈ入力信号を一時保存し、第１のＲｃｈ入力信号として合成部２３１０に出力する。なお、Ｌｃｈ変動検出部２３００Ｌの動作も同様であるので、説明は省略する。
【０１９１】
Ｌｃｈ残留クロストーク検出部２４００Ｌは、ＣＴキャンセル部２２００から出力されるＬｃｈ出力信号の残留クロストーク量を検出し、出力する。具体的には、Ｌｃｈ出力信号のＬｃｈ出力Ｒ、Ｌｃｈ出力Ｇ、及びＬｃｈ出力Ｂのうち、信号レベルが負で、且つ絶対値が最大の信号レベルの絶対値を残留クロストーク量として出力する。なお、Ｒｃｈ残留クロストーク検出部２４００Ｒの動作も同様であるので、説明は省略する。
【０１９２】
図２７は、Ｒｃｈ補正量調整部２５００Ｒの機能ブロック図である。Ｒｃｈ補正量調整部２５００Ｒは、図２７に示されるように、演算部２５１０と、判定部２５２０と、補正値出力部２５３０とを備える。
【０１９３】
演算部２５１０は、Ｌｃｈ残留クロストーク検出部２４００ＬからＬｃｈ出力信号の残留クロストーク量を取得する。そして、取得した残留クロストーク量に基づいて補正値を算出する。なお、演算部２５１０によって算出される補正値は、残留クロストーク量を上限とする任意の値である。残留クロストーク量の算出方法は特に限定されないが、例えば、残留クロストーク量が大きい程、大きい値となるのが望ましい。
【０１９４】
図２８は、残留クロストーク量（「残留ＣＴ量」と表記する）と補正値の関係を示すグラフである。一例として、図２８Ａに示されるように、残留ＣＴ量の増加に伴って、補正値を線形的に増加させてもよい。又は他の例として、図２８Ｂに示されるように、残留ＣＴ量の増加に伴って、補正値を指数関数的に増加させてもよい。なお、図２８Ａ及び図２８Ｂの例では、残留ＣＴ量が所定の閾値未満の場合には、補正量を０としている。
【０１９５】
ただし、補正値の算出方法は、上記に限定されない。例えば、常に、残留クロストーク量の値をそのまま補正値として採用してもよい。又は、残留クロストーク量の値を上限として、判定部２５２０に入力されるＲｃｈ変動幅が大きくなる（第１の閾値に近付く）程、補正値の値を小さくしてもよい。
【０１９６】
判定部２５２０は、Ｒｃｈ変動検出部２３００ＲからＲｃｈ変動幅を取得する。なお、このＲｃｈ変動幅は、Ｒｃｈ入力信号補正部２１００Ｒで処理の対象となるＲｃｈ入力信号と、その直前のＲｃｈ入力信号との間の信号レベルの変動幅である。そして、判定部２５２０は、取得したＲｃｈ変動幅に基づいて、Ｒｃｈ入力信号補正部２１００Ｒで補正処理を実行するか否かを判定する。より具体的には、Ｒｃｈ変動幅が第１の閾値を下回った場合にのみ、補正処理を実行すればよい。
【０１９７】
補正値出力部２５３０は、判定部２５２０で補正処理を実行すると判定された場合に、演算部２５１０で算出された補正値をＲｃｈ入力信号補正部２１００Ｒに出力する。一方、判定部２５２０で補正処理を実行しないと判定された場合には、０を出力する等すればよい。
【０１９８】
なお、図２７に示されるＲｃｈ補正量調整部２５００Ｒでは、Ｌｃｈ残留クロストーク量（クロストークがキャンセルされた後のＬｃｈ出力信号にさらに残留しているクロストーク量）に基づいて、Ｒｃｈ補正値を決定している。しかしながら、本発明はこれに限定されず、Ｌｃｈ入力信号に含まれるクロストーク量に基づいて、Ｒｃｈ補正値を決定してもよい。このとき、Ｒｃｈ変動幅に基づいて補正処理を実行するか否かを決定する判定部２５２０の処理は必須ではなく、省略することができる。
【０１９９】
次に、図２９〜図３１を参照して、上記構成のＣＴ処理部２０００の動作を説明する。なお、図２９は、ＣＴ処理部２０００に入力される入力右眼用フレーム（Ｎｏ．１〜Ｎｏ．３）及び入力左眼用フレーム（Ｎｏ．１〜Ｎｏ．３）の発光量（輝度レベル）を示すグラフである。図３０は、ＣＴ処理部２０００での処理の過程における赤、緑、青の各色成分の信号レベルを示す図である。図３１は、ＣＴ処理部２０００の動作を示すフローチャートである。
【０２００】
まず、ＣＴ処理部２０００には、図２９に示されるように、第１系列に属する（ユーザの右眼に表示される）右眼用フレームＮｏ．１、Ｎｏ．２、Ｎｏ．３と、第２系列に属する（ユーザの左眼に表示される）左眼用フレームＮｏ．１、Ｎｏ．２、Ｎｏ．３とが交互に入力される。なお、以下の説明では、Ｒｃｈ入力信号補正部２１００Ｒで右眼用フレームＮｏ．３の補正処理を行うために必要な処理のみを説明する。
【０２０１】
まず、ＣＴ処理部２０００は、入力右眼用フレームＮｏ．２を取得して信号処理を施した後、出力右眼用フレームＮｏ．２として出力する。このとき、当該入力右眼用フレームＮｏ．２を構成する各画素の信号レベルは、左眼用画像適応制御部２２１０のバッファ２２８０と、Ｒｃｈ変動検出部２３００Ｒのバッファ２３２０とに保持される。例えば、バッファ２２８０、２３２０に保持される入力右眼用フレームＮｏ．２の所定の位置の画素（以下「特定画素」という）の各信号レベルは、図３０に示されるように、Ｒｃｈ入力Ｒが４０、Ｒｃｈ入力Ｇが６０、Ｒｃｈ入力Ｂが２０であるとして説明する。
【０２０２】
次に、ＣＴ処理部２０００は、入力左眼用フレームＮｏ．２を取得して信号処理を施す。例えば、ＣＴキャンセル部２２００に入力される（すなわち、Ｌｃｈ入力信号補正部２１００Ｌから出力される）入力左眼用フレームＮｏ．２の対応画素の各信号レベルは、図３０に示されるように、Ｌｃｈ入力Ｒが１０、Ｌｃｈ入力Ｇが１０、Ｌｃｈ入力Ｂが２０であるとして説明する。なお、本明細書中の「対応画素」とは、基準となる画像（この場合は、「入力右眼用フレームＮｏ．２」）の特定画素に対応する位置の画素を指す。
【０２０３】
ＣＴキャンセル部２２００は、バッファ２２８０に保持されている入力右眼用フレームＮｏ．２を用いて、今回取得した入力左眼用フレームＮｏ．２のクロストークを除去する処理を実行する。例えば、ＣＴ係数決定部２２９０で決定された係数Ｋ１が０．５であったとすると、赤色成分のクロストーク成分は２０、緑色成分のクロストーク成分は３０、青色成分のクロストーク成分は１０となる。これを入力左眼用フレームＮｏ．２の対応画素の信号レベルから減算すると、出力左眼用フレームＮｏ．２の対応画素の信号レベルは、図３０に示されるように、Ｌｃｈ出力Ｒが−１０、Ｌｃｈ出力Ｇが−２０、Ｌｃｈ出力Ｂが１０となる。但し、表示パネル１１は、負の信号に従って発光制御をすることができないので、この場合のＬｃｈ出力Ｒ及びＬｃｈ出力Ｇが０であるとして、発光制御が行われる。
【０２０４】
出力左眼用フレームＮｏ．２において、信号レベルが正の値となる場合（Ｌｃｈ出力Ｂ）とは、表示パネル１１に表示すべき左眼用フレームＮｏ．２の輝度レベル（発光量）が直前の右眼用フレームＮｏ．２のクロストーク成分を上回っている状態である。このような場合、実際の輝度レベル（青色成分＝２０）とクロストーク成分（１０）との差分に相当する輝度レベル（１０）のみを、表示パネル１１に表示（発光）すればよい。
【０２０５】
一方、出力左眼用フレームＮｏ．２において、信号レベルが負の値となる場合（Ｌｃｈ出力Ｒ、Ｌｃｈ出力Ｇ）とは、表示パネル１１に表示すべき左眼用フレームＮｏ．２の輝度レベルが直前の右眼用フレームＮｏ．２のクロストーク成分を下回っている状態である。このような場合、表示パネル１１を発光させなくとも、本来表示すべき輝度レベル（赤色成分＝１０、緑色成分＝１０）を上回る輝度レベル（赤色成分＝２０、緑色成分＝３０）が表示パネル１１に表示されることになる。ここで、本来表示すべき輝度レベルと実際に表示される輝度レベルとの差分値（赤色成分＝１０、緑色成分＝２０）を「残留クロストーク量」というものとする。
【０２０６】
以降、図３１のフローチャートを参照して説明する。Ｌｃｈ残留クロストーク検出部２４００Ｌは、出力左眼用フレームＮｏ．２を取得して残留クロストーク量を算出する（Ｓ２１）。この例では、出力左眼用フレームＮｏ．２の対応画素の残留クロストーク量は２０となる。算出した残留クロストーク量は、Ｒｃｈ補正量調整部２５００Ｒに出力される。
【０２０７】
次に、ＣＴキャンセル部２２００は、入力右眼用フレームＮｏ．３を取得し、対応画素の信号レベルの変動幅を算出する（Ｓ２２）。具体的には、Ｒｃｈ変動検出部２３００Ｒは、バッファ２３２０に保持されている入力右眼用フレームＮｏ．２の特定画素の各信号レベルから、新たに入力された入力右眼用フレームＮｏ．３の対応画素の各信号レベルを減算することによって、信号レベル毎の変動幅を検出する。この値は、Ｒｃｈ変動幅としてＲｃｈ補正量調整部２５００Ｒに出力される。なお、Ｒｃｈ変動幅は、赤、緑、青の各色成分についての変動幅の最大値であってもよいし、３つの平均値であってもよいし、３つの加算値であってもよい。
【０２０８】
次に、Ｒｃｈ補正量調整部２５００Ｒの判定部２５２０は、取得したＲｃｈ変動幅が第１の閾値未満であるか否かを判定する（Ｓ２３）。Ｒｃｈ変動幅が第１の閾値以上であると判定された場合（Ｓ２３でＮｏ）、Ｒｃｈ入力信号補正部２１００Ｒは、入力右眼用フレームＮｏ．３を補正することなく、ＣＴキャンセル部２２００に出力する。
【０２０９】
一方、Ｒｃｈ変動幅が第１の閾値未満であると判定された場合（Ｓ２３でＹｅｓ）、演算部２５１０は、取得した残留クロストーク量に基づいて補正値を算出する（Ｓ２４）。この例では、取得した残留クロストーク量（２０）を図２８Ａに当てはめて、補正値（１０）が算出されたものとする。算出した補正値は、Ｒｃｈ補正値としてＲｃｈ入力信号補正部２１００Ｒに出力される。
【０２１０】
次に、Ｒｃｈ入力信号補正部２１００Ｒは、入力右眼用フレームＮｏ．３の対応画素の各信号レベルから取得した補正値に応じた補正処理を実施する（Ｓ２５）。例えば、入力右眼用フレームＮｏ．３の対応画素の各信号レベルが、図３０に示されるように、Ｒｃｈ入力Ｒが３５、Ｒｃｈ入力Ｇが５５、Ｒｃｈ入力Ｂが２５であった場合、残留クロストークが最大であったＲｃｈ入力Ｇに対して、補正値１０を減算して４５とする。また、他のｃｈに対しても、Ｒｃｈ入力Ｇのコントラスト低減率と同率となるように信号レベルを補正する。つまり、この例では、Ｒｃｈ入力Ｒ及びＲｃｈ入力Ｂの信号レベルを約２０％ずつ減じることによって、Ｒｃｈ入力Ｒを２８、Ｒｃｈ入力Ｂを２０と補正する。これにより、補正後の各信号レベルは、Ｒｃｈ入力Ｒが２８、Ｒｃｈ入力Ｇが４５、Ｒｃｈ入力Ｂが２０となる。補正された入力右眼用フレームＮｏ．３は、ＣＴキャンセル部２２００に出力される。
【０２１１】
なお、上記のように、残留クロストーク量が最大の成分を基準として、全ての成分の信号レベルの低減率を実質的に同率にしてもよい。ただし、この補正処理は一例でありこれに限定されるものではなく、例えば、簡易的に同一値（上記の例では「１０」）をＲＧＢより減算する補正処理であってもよい。さらには、各成分の残留クロストーク量それぞれから補正値を個別に算出して、各成分の信号レベルから減算するような補正処理であってもよい。
【０２１２】
上記の処理によれば、右眼用フレームＮｏ．３の発光量が、当初のレベル（図２９の破線）から補正値分だけ下がる（図２９の一点鎖線）ことになる。これに伴って、左眼用フレームＮｏ．３を表示する際の右眼用フレームＮｏ．３のクロストーク成分も下がることになので、結果として、左眼用フレームＮｏ．３の残留クロストークを抑圧することができる。
【０２１３】
なお、上記の３次元映像信号において、時間的に隣接する右眼用フレームと左眼用フレームとは、視差の分だけ内容が異なる画像である。そうすると、一方の系列に属する画像の時間的な変化の傾向から、他方の系列の画像の時間的な変化の傾向を推測できることになる。
【０２１４】
つまり、第１系列に属する右眼用フレームＮｏ．２の特定画素と右眼用フレームＮｏ．３の対応画素との間の信号レベルの変動幅が小さい（第１の閾値未満）場合、第２系列に属する左眼用フレームＮｏ．２の対応画素と左眼用Ｎｏ．３の対応画素との間の信号レベルの変動幅も小さいと推定できる。この場合、右眼用フレームＮｏ．２の特定画素と左眼用フレームＮｏ．２の対応画素との間の残留クロストーク量は、右眼用フレームＮｏ．３の対応画素と左眼用フレームＮｏ．３の対応画素との間の残留クロストーク量に近いと推定することができる。
【０２１５】
このような３次元映像信号の特性を利用して、直後の信号（図２９の例では、左眼用フレームＮｏ．３）に影響を及ぼす信号（図２９の例では、右眼用フレームＮｏ．３）を予め補正することにより、残留クロストークを有効に抑圧することができる。
【０２１６】
なお、上記の例では、判定部２５２０で補正処理を実行するか否かを判定するに当たって、直近の２画像の画素（右眼用フレームＮｏ．２の特定画素と右眼用フレームＮｏ．３の対応画素）間の信号レベルの変動幅のみを用いたが、時間的な変化の傾向をより正確に把握する観点からは、さらに前の画像の変動幅を合わせて判定してもよい。具体的には、判定部２５２０は、さらに、右眼用フレームＮｏ．１及び右眼用フレームＮｏ．２の対応画素間の信号レベルの変動幅を取得し、２つの変動幅がいずれも第１の閾値を下回った場合にのみ右眼用フレームＮｏ．３に対して補正処理を実行するようにしてもよい。
【０２１７】
また、Ｒｃｈ入力信号補正部２１００Ｒでは、Ｒｃｈ入力Ｒ、Ｒｃｈ入力Ｇ、及びＲｃｈ入力Ｂの各信号レベルの比率を保持するような補正処理を実施しているので、表示パネル１１に表示される出力右眼用フレームの色相が、入力右眼用フレームの本来の色相と実質的に同一となる。すなわち、色相の変化を極小化した画像処理が可能となる。
【０２１８】
（実施の形態６）
次に、図３２及び図３３を参照して、本発明の実施の形態６に係るＣＴ処理部３０００を説明する。図３２は、実施の形態６に係るＣＴ処理部３０００の機能ブロック図である。図３３は、実施の形態６に係るＲｃｈ補正量調整部３５００Ｒの機能ブロック図である。なお、実施の形態５に係るＣＴ処理部２０００と共通の構成要素には、同一の参照番号を付し、詳しい説明を省略する。
【０２１９】
実施の形態６に係るＣＴ処理部３０００は、図３２に示されるように、Ｌｃｈ入力信号補正部２１００Ｌと、Ｒｃｈ入力信号補正部２１００Ｒと、ＣＴキャンセル部２２００と、Ｌｃｈ変動検出部２３００Ｌと、Ｒｃｈ変動検出部２３００Ｒと、Ｌｃｈ残留クロストーク検出部２４００Ｌと、Ｒｃｈ残留クロストーク検出部２４００Ｒと、Ｌｃｈ補正量調整部３５００Ｌと、Ｒｃｈ補正量調整部３５００Ｒと、Ｌｃｈシーン変化検出部３６００Ｌと、Ｒｃｈシーン変化検出部３６００Ｒとを備える。
【０２２０】
Ｒｃｈシーン変化検出部３６００Ｒは、同一系列に属する画像のうち時間的に隣接する２つの画像のシーン変化量（Ｒｃｈシーン変化量）を算出する。Ｒｃｈシーン変化量の具体的な算出方法は特に限定されないが、例えば、Ｒｃｈ変動検出部２３００Ｒにおいて１画素単位で算出した信号レベルの変動幅を１フレーム単位（若しくは、分割された所定の領域単位）で積算してもよい。更に、１フレーム分の平均値を数フレームに渡って算出し、その平均値のフレーム間の重心の変動量、平均値の分散状態、平均値の差分などのパラメータを複数組み合わせて統計的に演算してシーン変化を検出するものである。なお、Ｌｃｈシーン変化量の動作も同様であるので、説明は省略する。
【０２２１】
Ｒｃｈ補正量調整部３５００Ｒは、図３３に示されるように、演算部２５１０と、判定部２５２０と、補正値出力部２５３０とに加えて、判定部３５４０と、判定結果出力部３５５０とをさらに備える。
【０２２２】
判定部３５４０は、Ｒｃｈシーン変化検出部３６００Ｒから取得したＲｃｈシーン変化を判定するための上記複数のパラメータ（以下これらを総称してシーン変化量と呼称する）の各々が各々所定の閾値を下回って全て成立する場合に、Ｒｃｈ入力信号補正部２１００Ｒによる補正処理を実行すると判定する。なお、図２９に示される右眼用フレームＮｏ．３の補正処理を実行するか否かは、同一系列に属する直近の２フレーム（右眼用フレームＮＯ．１と右眼用フレームＮｏ．２）のＲｃｈシーン変化量に基づいて判定する。
【０２２３】
判定結果出力部３５５０は、判定部２５２０と判定部３５４０との判定結果に基づいて、補正処理を実行するか否かを最終的に判定する。例えば、判定部２５２０、３５４０の両方で補正処理を実行すると判定された場合にのみ、補正処理を実行するとの判定結果を出力し、判定部２５２０、３５４０のうちの少なくとも一方で補正処理を実行しないと判定された場合は、補正処理を実行しないとの判定結果を出力する。
【０２２４】
実施の形態６においては、Ｒｃｈ変動検出部２３００Ｒによる画素単位の変動幅のみならず、Ｒｃｈシーン変化検出部３６００Ｒによるフレーム単位のシーン変化量をも取得して、補正処理を実行するか否かを判定している。その結果、時間的な変化の傾向をより的確に把握することができるので、より好適に残留クロストークを抑圧することができる。
【０２２５】
（実施の形態７）
次に、図３４〜図３８を参照して、本発明の実施の形態７に係るＣＴ処理部４０００を説明する。図３４は、実施の形態７に係るＣＴ処理部４０００の機能ブロック図である。図３５は、残留クロストーク積算部４７００の機能ブロック図である。図３６は、Ｒｃｈ補正量調整部４５００Ｒの機能ブロック図である。図３７Ａ及び図３７Ｂは、残留ＣＴ積算値又は輝度ＡＶＥとＣＬＩＰ値との関係を示すグラフである。図３８は、クロストーク残留率とＧＬＡＹ化率との関係を示すグラフである。なお、実施の形態５、６に係るＣＴ処理部２０００、３０００と共通の構成要素には、同一の参照番号を付し、詳しい説明を省略する。
【０２２６】
実施の形態７に係るＣＴ処理部４０００は、図３４に示されるように、Ｌｃｈ入力信号補正部２１００Ｌと、Ｒｃｈ入力信号補正部２１００Ｒと、ＣＴキャンセル部２２００と、Ｌｃｈ変動検出部２３００Ｌと、Ｒｃｈ変動検出部２３００Ｒと、Ｌｃｈ残留クロストーク検出部２４００Ｌと、Ｒｃｈ残留クロストーク検出部２４００Ｒと、Ｌｃｈ補正量調整部４５００Ｌと、Ｒｃｈ補正量調整部４５００Ｒと、Ｌｃｈ残留クロストーク積算部４７００Ｌと、Ｒｃｈ残留クロストーク積算部４７００Ｒとを備える。
【０２２７】
Ｌｃｈ残留クロストーク積算部４７００Ｌは、Ｌｃｈ出力信号を取得して、左眼用フレームの残留クロストーク積算値を１フレーム単位（若しくは、分割された所定の領域単位）で算出する。図３５を参照して、Ｌｃｈ残留クロストーク積算部４７００Ｌ及びＲｃｈ残留クロストーク積算部４７００Ｒ（総称して「残留クロストーク積算部４７００」と呼称する）の詳細な構成を説明する。
【０２２８】
残留クロストーク積算部４７００は、図３５に示されるように、信号補正部４７１０Ｌ、４７１０Ｒと、絶対値化部４７２０Ｌ、４７２０Ｒと、ＬＰＦ（Ｌｏｗ  Ｐａｔｈ  Ｆｉｌｔｅｒ）部４７３０Ｌ、４７３０Ｒと、フレーム積算部４７４０Ｌ、４７４０Ｒとを備える。この残留クロストーク積算部４７００は、その内部で左眼用フレームに対する処理と右眼用フレームに対する処理とを独立して実行することが可能な構成となっている。そのため、ここでは片側（左眼用フレーム）の場合のみを説明する。
【０２２９】
信号補正部４７１０Ｌは、ＣＴキャンセル部２２００から出力されるＬｃｈ出力信号の信号レベルを検出し、必要に応じてその信号レベルを補正する。具体的には、信号補正部４７１０Ｌは、入力されるＬｃｈ出力信号の信号レベルが０以上、すなわち、信号レベルが正の値である場合は、当該信号の信号レベルを０に補正して出力する。一方、信号レベルが０未満、すなわち、信号レベルが負の値である場合は、当該信号をそのままの値で出力する。これにより、ＣＴキャンセル部２２００で処理されたＬｃｈ出力信号のうちの負の値（すなわち、残留クロストーク）を持つ信号のみが、信号補正部４７１０Ｌで抽出される。
【０２３０】
絶対値化部４７２０Ｌは、信号補正部４７１０Ｌで補正された信号の絶対値を算出する。ＬＰＦ部４７３０Ｌは、絶対値化部４７２０Ｌで算出された値についてその変化率を緩和させる。具体的には、ＬＰＦ部４７３０Ｌは、絶対値化部４７２０Ｌから順次出力される信号を、所定の割合で間引いた上でＬＰＦ演算を行い出力する。フレーム積算部４７４０Ｌは、ＬＰＦ部４７３０Ｌから出力される信号を１フレーム単位（若しくは、分割された所定の領域単位）で積算する。
【０２３１】
つまり、Ｌｃｈ残留クロストーク積算部４７００Ｌからの出力信号は、Ｌｃｈ出力信号に含まれる残留クロストーク量の（代表値の）１フレーム分の積算値に相当する。算出した残留クロストーク積算値は、Ｒｃｈ補正量調整部４５００Ｒに出力される。なお、上記の処理は、赤、緑、青の各色成分毎に実行してもよいし、色成分を区別することなく全ての値を積算してもよい。
【０２３２】
Ｒｃｈ補正量調整部４５００Ｒは、図３６に示されるように、演算部２５１０と、判定部２５２０と、補正値出力部２５３０と、調整部４５６０とを備える。なお、Ｌｃｈ補正量調整部４５００Ｌの動作も同様であるので、説明は省略する。
【０２３３】
調整部４５６０は、Ｌｃｈ残留クロストーク積算部４７００Ｌから取得したＬｃｈ残留クロストーク積算値に基づいて、ＣＬＩＰ値を算出する。ＣＬＩＰ値の具体的な算出方法は特に限定されないが、例えば、図３７Ａに示されるように、残留クロストーク積算値が大きい程、ＣＬＩＰ値の絶対値を小さくすればよい。この例では、ＣＬＩＰ値が８であったとする。
【０２３４】
なお、ＣＬＩＰ値とは、補正値出力部２５３０から出力される補正値の最大値を決定するための値であって、常に正の値となる。また、ＣＬＩＰ値を算出するために用いられる残留クロストーク積算値は、ＣＴ処理部４０００で現在処理されている右眼用フレームの直前の左眼用フレームの残留クロストーク積算値である。
【０２３５】
次に、調整部４５６０は、演算部２５１０で算出された補正値を取得する。ここでは、図３０の場合と同様に、補正値が１０であったとする。そして、調整部４５６０は、取得した補正値と算出したＣＬＩＰ値とを比較して、小さい方を最終的な補正値として出力する。つまり、この例では、補正値が８となる。
【０２３６】
Ｒｃｈ入力信号補正部２１００Ｒが、この補正値を用いて図３０に示される入力右眼用フレームＮｏ．３を補正すると、補正後の右眼用フレームＮｏ．３の各信号レベルは、Ｒｃｈ入力Ｒの信号レベルが２９、Ｒｃｈ入力Ｇの信号レベルが４７、Ｒｃｈ入力Ｂの信号レベルが２１となる。
【０２３７】
実施の形態７における補正値（８）は、実施の形態５における加算値（１０）より小さくなっている。より具体的には、補正値の上限がＣＬＩＰ値に制限されていると言える。つまり、Ｒｃｈ補正量調整部４５００Ｒは、１つ前のＬｃｈ入力信号の特徴（残留クロストーク積算値）に応じて、補正値の上限を規定している。
【０２３８】
ここで、補正値の値を大きくすれば、１回の補正処理で残留クロストークを大幅に抑圧することができる。しかしながら、右眼用フレームＮｏ．３の信号レベルを大幅に減じることになるので、当該右眼用フレームＮｏ．３が表示パネル１１に表示された際に、ブライトネスの変化（暗くなる方向の変化）が目立ちすぎるおそれがある。そこで、補正値の上限値、すなわち、１回の補正処理で減算する信号レベルの最大値を規制することにより、残留クロストークの抑圧とブライトネスの変化とのバランスを取ることができる。
【０２３９】
なお、ＣＬＩＰ値算出の基礎となるパラメータは、上記の残留クロストーク量積算値に限定されない。例えば、補正対象のフレームと同一系列に属する直前のフレームの平均輝度レベルを用いてＣＬＩＰを算出してもよい。
【０２４０】
例えば、Ｒｃｈ平均輝度算出部（図示省略）は、Ｒｃｈ入力信号を取得して、入力右眼用フレームの平均輝度レベルを１フレーム単位（若しくは、分割された所定の領域単位）で算出する。具体的な算出方法は特に限定されないが、例えば、入力右眼用フレームを構成する全画素の輝度レベルの相加平均を算出すればよい。なお、Ｌｃｈ平均輝度算出部（図示省略）の動作も同様であるので、説明は省略する。
【０２４１】
ＣＬＩＰ値の具体的な算出方法は特に限定されないが、例えば、平均輝度レベルが大きい程、ＣＬＩＰ値を小さくする。より具体的には、図３７Ｂに示されるように、平均輝度レベル（「輝度ＡＶＥ」と表記する）が所定の閾値ａ未満の場合にはＣＬＩＰ値を一定（最大）とし、閾値ａ以上の場合には、平均輝度レベルが大きい程、ＣＬＩＰ値の絶対値を小さくすればよい。これは、全体として暗いシーンでは残留クロストークが発生しやすく、明るいシーンでは残留クロストーク自体が発生しにくい事を鑑みた場合の設定方法の一例である。
【０２４２】
さらに、調整部４５６０は、演算部２５１０から取得した補正値を補正して新たな補正値を算出する。具体的には、演算部２５１０から取得した補正値に所定の係数（ＧＬＡＹ化率）を乗じることによって、新たな補正値が算出される。例えば、調整部４５６０は、図３８に示されるように、クロストーク残留率が大きい程、ＧＬＡＹ化率の値を小さくする。また、クロストーク残留率が所定の閾値ｂ（例えば、４５％）に達すると、ＧＬＡＹ化率を０に設定する。
【０２４３】
なお、クロストーク残留率とは、信号レベルの取り得る最大値（８ビットであれば２５５）を分母とし、最大値成分の信号レベルの絶対値を分子として算出される値である。すなわち、クロストーク残留率が大きいとは、最大値成分の信号レベルの絶対値が大きいのと、実質的に同じである。
【０２４４】
また、調整部４５６０では、Ｌｃｈ出力Ｂが最大値成分である場合に、Ｌｃｈ出力Ｒ又はＬｃｈ出力Ｇが最大値成分である場合より、ＧＬＡＹ化率を小さくするような処理を実行してもよい。これは、青色成分が赤色成分や緑色成分と比較して、残光量が小さいという、表示パネル１１の特性に基づくものである。
【０２４５】
次に、図３９及び図４０を参照して、映像視聴用眼鏡２０の詳細な構成を説明する。なお、図３９は、映像視聴用眼鏡２０のハードウェア構成の一例を示す図である。図４０は、映像視聴用眼鏡２０の機能ブロック図である。
【０２４６】
映像視聴用眼鏡２０は、図３９に示されるように、ＣＰＵ６１０と、メモリ６２０と、クロック６３０と、光学フィルタ２２と、赤外線受光素子６４０とを備える。なお、光学フィルタ２２は、図１に示される左眼用光学フィルタ２２Ｌ及び右眼用光学フィルタ２２Ｒを含む。
【０２４７】
ＣＰＵ６１０は、映像視聴用眼鏡２０の全体を制御する。ＣＰＵ６１０は予め定められたソフトウェアプログラムを実行することで、映像視聴用眼鏡２０の制御、特に、光学フィルタ２２の制御等を行う。
【０２４８】
メモリ６２０は、ＣＰＵ６１０を動作させるソフトウェアプログラムの記憶場所、または、ＣＰＵ６１０がソフトウェアプログラムを実行する際の各種変数の一時保持の場所としてデータの記録を行う。メモリ６２０は、揮発性のメモリであっても、不揮発性のメモリであってもいずれでもよいし、これらを組み合わせたものであっても良い。
【０２４９】
クロック６３０は、ＣＰＵ６１０等が動作するために必要となる基準信号（クロック信号）を生成する。クロック６３０には、水晶発振子や他の発振子を用いることができる。また、クロック６３０が生成したクロック信号を分周、逓倍して使用するものであってもよい。
【０２５０】
光学フィルタ２２は、映像視聴用眼鏡２０をかけた視聴者の左眼の前に設けられる左眼用光学フィルタ２２Ｌと、右眼の前に設けられる右眼用光学フィルタ２２Ｒとを含む。そして、両眼へ入る光の量、性質等を調整するものである。
【０２５１】
赤外線受光素子６４０は、外部、特に映像表示装置１０から送信される同期信号を受信する。本実施の形態では、同期信号に赤外線を用いる場合を例として説明しているため、赤外線受光素子６４０を例に記載しているが、これに限定するものではない。無線等を用いて同期信号を受信する場合は、当該無線を受信するための受信部(アンテナ、チューナ等)であればよい。つまり、同期信号を適切に受信できるものであれば、その種類を限定するものでは無い。
【０２５２】
また、映像視聴用眼鏡２０は、図４０に示されるように、外部同期信号受信部７１０と、同期信号検出部７２０と、同期信号解析部７３０と、同期情報記憶部７４０と、内部同期信号生成部７５０と、光学フィルタ制御部７６０と、光学フィルタ２２とを備える。
【０２５３】
外部同期信号受信部７１０は、映像表示装置１０から赤外線で送信された同期信号を受信する。受光した赤外線に応じて、電気信号を同期信号検出部７２０へ出力する。図３９に示されるハードウェア構成においては、赤外線受光素子６４０に該当する。なお、図３９のハードウェア構成においても説明したが、本実施の形態では赤外線を用いた場合を例に挙げて説明するが、同期信号の送受信方法を赤外線に限定するものではない。無線等を送受信手段として用いるものであっても良い。
【０２５４】
同期信号検出部７２０は、外部同期信号受信部７１０から出力される電気信号の同期信号を検出する。具体的には、所定の電気波形等を持つ信号を同期信号として検出する。
【０２５５】
同期信号解析部７３０は、同期信号検出部７２０で検出された同期信号に基づいて、光学フィルタ２２を動作させるための時間間隔等の情報を解析する。光学フィルタ２２を動作させるための時間間隔情報等の情報を解析するとは、例えば、左眼用と右眼用のフィルタの開閉タイミングの情報等である。なお、同期信号検出部７２０及び同期信号解析部７３０は、図３９に示されるハードウェア構成において、ＣＰＵ６１０が実行するプログラムの一部に該当する。
【０２５６】
同期情報記憶部７４０は、同期信号解析部７３０で解析された光学フィルタ２２の動作内容に関する制御情報を記録及び保持する。図３９に示されるハードウェア構成においては、メモリ６２０に該当する。より具体的には、ＣＰＵ６１０が当該情報をメモリ６２０に記録する。
【０２５７】
内部同期信号生成部７５０は、同期情報記憶部７４０に記録された同期情報、又は、同期信号解析部７３０で解析された同期情報（時間間隔情報等）に基づいて、映像視聴用眼鏡２０の内部で同期信号を生成する。内部同期信号生成部７５０は、図３９に示されるハードウェア構成においては、ＣＰＵ６１０とクロック６３０とに該当する。
【０２５８】
光学フィルタ制御部７６０は、映像視聴用眼鏡２０の両眼に設けられている左右の光学フィルタ２２の動作制御を行う。例えば、光学フィルタ２２を透過する光の量を調整する等の制御を行う。光学フィルタ制御部７６０は、図３９に示されるハードウェア構成においては、ＣＰＵ６１０が実行する光学フィルタ制御用のプログラム、又は、後述の光学フィルタ２２を駆動する駆動回路等に該当する。
【０２５９】
光学フィルタ２２は、映像視聴用眼鏡２０の両眼に設けられ、左右の眼に入射する透過光を調整する光学的なフィルタである。光学フィルタ２２には、透過する光の量を調整するものや、透過する光の偏向を調整するもの等様々な種類がある。また、光学フィルタ２２に液晶素子を用い、当該液晶素子を制御することで、透過する光の量を調整するもの等もある。
【０２６０】
本実施の形態では、映像表示装置１０に表示される映像が左眼用の映像と右眼用の映像が交互に変わる場合を例として説明する。そのため、光学フィルタ２２の動作としては、左眼用光学フィルタ２２Ｌと右眼用光学フィルタ２２Ｒとが、交互に透過する光の量を減光、増光するシャッタ的な動作をする。なお、本実施の形態ではこのような事例を用いて説明するが、光学フィルタ２２の動作をこれに限定するものではない。他の例としては、右眼と左眼とで偏光方向を変えるような光学フィルタであってもよい。つまり、映像表示装置１０に表示される映像と同期して透過する光を調整できる光学フィルタであれば、どのような種類であってもよい。
【０２６１】
図３９に示されるハードウェア構成と図４０に示される機能ブロックとの対応関係は、本実施の形態で説明のために用いる具体例としての対応関係であり、これに限定するものではない。他のハードウェア構成、ソフトウェア構成を用いたものであってもよい。
【０２６２】
また、本実施の形態で説明する映像視聴用眼鏡２０は、外部から受信した同期信号に基づいて内部同期信号を生成し、それに基づいて光学フィルタ２２を動作させるものであったが、これに限定するものではない。内部同期信号を生成せず、外部から受信した同期信号に直接基づいて、光学フィルタ制御部７６０を制御するものであってもよい。この場合は、映像視聴用眼鏡２０が比較的簡単な構成で実現することが可能となる。
【０２６３】
なお、上記の各実施の形態においては、互いに視差を有する左眼用画像及び右眼用画像を交互に出力される３次元映像信号を処理する例を示したが、これに限ることなく、本発明は２次元映像信号にも適用することができる。
【０２６４】
（その他変形例）
なお、本発明を上記実施の形態に基づいて説明してきたが、本発明は、上記の実施の形態に限定されないのはもちろんである。以下のような場合も本発明に含まれる。
【０２６５】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０２６６】
上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムにしたがって動作することにより、システムＬＳＩは、その機能を達成する。
【０２６７】
上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０２６８】
本発明は、上記に示す方法であるとしてもよい。また、これらの方法をコンピュータにより実現するコンピュータプログラムであるとしてもよいし、コンピュータプログラムからなるデジタル信号であるとしてもよい。
【０２６９】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【０２７０】
また、本発明は、コンピュータプログラムまたはデジタル信号を、電気通信回線、無線または有線通信回線、インターネットを代表とするネットワーク、データ放送等を経由して伝送するものとしてもよい。
【０２７１】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【０２７２】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０２７３】
上記実施の形態及び上記変形例をそれぞれ組み合わせるとしてもよい。
【０２７４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０２７５】
本発明は、映像信号処理装置及び映像表示装置に有利に利用される。
【符号の説明】
【０２７６】
１０                                    映像表示装置
１１                                    表示パネル
１２                                    同期信号送信部
１３Ｌ                                  左眼用画像
１３Ｒ                                  右眼用画像
１４Ｌ                                  サブフィールド
１５                                    破線
１６                                    一点鎖線
２０                                    映像視聴用眼鏡
２１                                    同期信号受信部
２２                                    光学フィルタ
２２Ｌ                                  左眼用光学フィルタ
２２Ｒ                                  右眼用光学フィルタ
１００                                  チューナ
１１０                                  外部入力端子
１２０，６１０                          ＣＰＵ
１３０                                  ＲＡＭ
１５０                                  映像／音声復号ＩＣ
１６０                                  映像信号処理ＩＣ
１６１                                  フレームレート変換部
１６２，２００，３００，４００，５００，２０００，３０００，４０００  ＣＴ処理部
１６３                                  同期信号送信部
１６４                                  画質変換部
１７０                                  赤外線発光素子
１８０                                  バス
２１０，２２００                        ＣＴキャンセル部
２１１，２２１０                        左眼用画像適応制御部
２１２，２１５，２２２０，２２５０      変換部
２１３，２１６，２２２Ｌ，２２３Ｌ，２２４Ｌ，５２４Ｂ，５２４Ｇ，５２４Ｒ，２２３０，２２６０，２３１０                合成部
２１４，２２４０                        右眼用画像適応制御部
２１７，２２７０                        信号比較部
２１８，２２８０，２３２０              バッファ
２１９，２２９０                        ＣＴ係数決定部
２２０，３２０，５２０                  彩度補正処理部
２２０Ｌ，３２０Ｌ，５２０Ｌ            Ｌｃｈ処理部
２２０Ｒ，３２０Ｒ，５２０Ｒ            Ｒｃｈ処理部
２２１Ｌ                                彩度補正制御部
３３０Ｌ，３３０Ｒ                      平均輝度算出部
３４０Ｌ，３４０Ｒ，４４０Ｌ，４４０Ｒ，５４０Ｌ，５４０Ｒ  補正量制御部
４５０                                  入力信号補正部
４５０Ｌ，２１００Ｌ                    Ｌｃｈ入力信号補正部
４５０Ｒ，２１００Ｒ                    Ｒｃｈ入力信号補正部
４６０，４６０Ａ，４６０Ｂ，４６０Ｌ，４６０Ｒ，４７００    残留クロストーク積算部
４６１Ｌ，４６１Ｒ，５７２Ｌ，５７２Ｒ，４７１０Ｌ，４７１０Ｒ  信号補正部
４６２Ｌ，４６２Ｒ，５７３Ｌ，５７３Ｒ，４７２０Ｌ，４７２０Ｒ  絶対値化部
４６３Ｌ，４６３Ｒ，５７４Ｌ，５７４Ｒ，４７３０Ｌ，４７３０Ｒ  ＬＰＦ部
４６４Ｌ，４６４Ｒ，５７５Ｌ，５７５Ｒ，４７４０Ｌ，４７４０Ｒ  フレーム積算部
４６５Ｌ，４６５Ｒ                      フィルタ部
４６６Ｌ，４６６Ｒ                      画素検出部
５２１Ｂ，５２１Ｇ，５２１Ｒ            負ＣＬＩＰ部
５２２Ｂ，５２２Ｇ，５２２Ｒ            適応的ＣＬＩＰ部
５２３Ｂ，５２３Ｇ，５２３Ｒ            判断回路
５２５                                  最大値成分選択部
５２６                                  最大値補正部
５７０，５７０Ｌ，５７０Ｒ              クロストーク量検出部
５７１Ｌ，５７１Ｒ                      信号レベル比算出部
６２０                                  メモリ
６３０                                  クロック
６４０                                  赤外線受光素子
７１０                                  外部同期信号受信部
７２０                                  同期信号検出部
７３０                                  同期信号解析部
７４０                                  同期情報記憶部
７５０                                  内部同期信号生成部
７６０                                  光学フィルタ制御部
２３００Ｌ                              Ｌｃｈ変動検出部
２３００Ｒ                              Ｒｃｈ変動検出部
２４００Ｌ                              Ｌｃｈ残留クロストーク検出部
２４００Ｒ                              Ｒｃｈ残留クロストーク検出部
２５００Ｌ，３５００Ｌ，４５００Ｌ      Ｌｃｈ補正量調整部
２５００Ｒ，３５００Ｒ，４５００Ｒ      Ｒｃｈ補正量調整部
２５１０                                演算部
２５２０，３５４０                      判定部
２５３０                                補正値出力部
３５５０                                判定結果出力部
３６００Ｌ                              Ｌｃｈシーン変化検出部
３６００Ｒ                              Ｒｃｈシーン変化検出部
４５６０                                調整部
４７００Ｌ                              Ｌｃｈ残留クロストーク積算部
４７００Ｒ                              Ｒｃｈ残留クロストーク積算部
【図１】
0005641318.tif 000002
【図２】
0005641318.tif 000003
【図３】
0005641318.tif 000004
【図４】
0005641318.tif 000005
【図５】
0005641318.tif 000006
【図６】
0005641318.tif 000007
【図７】
0005641318.tif 000008
【図８】
0005641318.tif 000009
【図９】
0005641318.tif 000010
【図１０】
0005641318.tif 000011
【図１１】
0005641318.tif 000012
【図１２】
0005641318.tif 000013
【図１３】
0005641318.tif 000014
【図１４】
0005641318.tif 000015
【図１５】
0005641318.tif 000016
【図１６】
0005641318.tif 000017
【図１７Ａ】
0005641318.tif 000018
【図１７Ｂ】
0005641318.tif 000019
【図１７Ｃ】
0005641318.tif 000020
【図１８】
0005641318.tif 000021
【図１９】
0005641318.tif 000022
【図２０】
0005641318.tif 000023
【図２１】
0005641318.tif 000024
【図２２】
0005641318.tif 000025
【図２３】
0005641318.tif 000026
【図２４】
0005641318.tif 000027
【図２５】
0005641318.tif 000028
【図２６】
0005641318.tif 000029
【図２７】
0005641318.tif 000030
【図２８Ａ】
0005641318.tif 000031
【図２８Ｂ】
0005641318.tif 000032
【図２９】
0005641318.tif 000033
【図３０】
0005641318.tif 000034
【図３１】
0005641318.tif 000035
【図３２】
0005641318.tif 000036
【図３３】
0005641318.tif 000037
【図３４】
0005641318.tif 000038
【図３５】
0005641318.tif 000039
【図３６】
0005641318.tif 000040
【図３７Ａ】
0005641318.tif 000041
【図３７Ｂ】
0005641318.tif 000042
【図３８】
0005641318.tif 000043
【図３９】
0005641318.tif 000044
【図４０】
0005641318.tif 000045